(57)【要約】  本発明の実施例は、セッション処理方法及び関係するデバイスを開示する。当該方法は、第２のAMFネットワークエレメントにより、第１のSMFネットワークエレメントから、端末にサービス提供する第１のAMFネットワークエレメントが利用不可能であることを習得したとき、第２のAMFネットワークエレメントにより、データベースから端末のコンテキストを取得するステップであり、端末のコンテキストは、第１のSMFネットワークエレメントの識別子及び第２のSMFネットワークエレメントの識別子を含む、ステップと、第２のAMFネットワークエレメントにより、端末をページングし、端末のコンテキストを更新するために、第２のAMFネットワークエレメントの識別子及びページング状態指示をデータベースに送信するステップと、第２のAMFネットワークエレメントにより、端末からサービス要求メッセージを受信するステップであり、サービス要求メッセージは、端末のセッションのためのユーザプレーンリソースの確立に使用される、ステップとを含む。端末が複数のSMFに関連する複数のセッションを有するとき、ページングをトリガーする第２のAMFネットワークエレメントが最終的に端末にサービス提供することが確保でき、それにより、１つの端末にサービス提供する複数のAMFネットワークエレメントにより引き起こされる手順のコンフリクトを回避する。
2019535201.tif 000002
【特許請求の範囲】
【請求項１】
セッション処理方法であって、
第２のアクセス及びモビリティ管理機能AMFネットワークエレメントにより、第１のセッション管理機能SMFネットワークエレメントから、端末にサービス提供する第１のAMFネットワークエレメントが利用不可能であることを習得したとき、前記第２のAMFネットワークエレメントにより、データベースから前記端末のコンテキストを取得するステップであり、前記端末の前記コンテキストは、前記第１のSMFネットワークエレメントの識別子及び第２のSMFネットワークエレメントの識別子を含む、ステップと、
前記第２のAMFネットワークエレメントにより、前記端末をページングし、前記端末の前記コンテキストを更新するために、前記第２のAMFネットワークエレメントの識別子及びページング状態指示を前記データベースに送信するステップであり、前記ページング状態指示は、前記端末が前記第２のAMFネットワークエレメントによりページングされることを示す、ステップと、
前記第２のAMFネットワークエレメントにより、前記端末からサービス要求メッセージを受信するステップであり、前記サービス要求メッセージは、前記端末のセッションのためのユーザプレーンリソースの確立に使用される、ステップと
を含む方法。
【請求項２】
第２のAMFネットワークエレメントにより、第１のSMFネットワークエレメントから、端末にサービス提供する第１のAMFネットワークエレメントが利用不可能であることを習得することは、
前記第２のAMFネットワークエレメントにより、前記第１のSMFネットワークエレメントから第１のメッセージを受信することであり、前記第１のメッセージは前記端末の永久識別子及び原因値を含み、前記永久識別子は、前記端末の前記コンテキストの獲得に使用され、前記原因値は、前記第１のAMFネットワークエレメントが利用不可能であることを示す、ことを含む、請求項１に記載の方法。
【請求項３】
前記第１のメッセージがセッション管理メッセージを含まないとき、前記第２のAMFネットワークエレメントにより、前記端末の前記コンテキストを更新するために、前記第１のSMFネットワークエレメントの前記識別子を前記データベースに送信するステップを更に含む、請求項２に記載の方法。
【請求項４】
前記第２のAMFネットワークエレメントにより、前記端末をページングすることは、
前記第２のAMFネットワークエレメントにより、ページングメッセージを前記端末に送信することであり、前記ページングメッセージは前記第２のAMFネットワークエレメントの前記識別子を含むか、或いは前記ページングメッセージは前記端末の一時識別子を含み、一方で、前記一時識別子は前記第２のAMFネットワークエレメントの前記識別子を含む、ことを含む、請求項１乃至３のうちいずれか１項に記載の方法。
【請求項５】
前記第２のAMFネットワークエレメントにより、前記データベースから前記第１のSMFネットワークエレメントの前記識別子及び前記第２のSMFネットワークエレメントの前記識別子を取得するステップと、
前記第２のAMFネットワークエレメントにより、それぞれの第２のメッセージを前記第１のSMFネットワークエレメント及び前記第２のSMFネットワークエレメントに送信するステップと、
前記第２のAMFネットワークエレメントにより、前記第１のSMFネットワークエレメントから第１のセッション管理メッセージを受信するステップであり、前記第１のセッション管理メッセージは第１のセッションの識別子を含み、前記第１のセッションの前記識別子は前記第１のセッションを前記第１のSMFネットワークエレメントに関連付ける、ステップと、
前記第２のAMFネットワークエレメントにより、前記第２のSMFネットワークエレメントから第２のセッション管理メッセージを受信するステップであり、前記第２のセッション管理メッセージは第２のセッションの識別子を含み、前記第２のセッションの前記識別子は前記第２のセッションを前記第２のSMFネットワークエレメントに関連付ける、ステップと
を更に含む、請求項３又は４に記載の方法。
【請求項６】
セッション処理方法であって、
第３のAMFネットワークエレメントにより、基地局から端末のサービス要求メッセージを受信した後に、データベースから前記端末のコンテキストを取得するステップであり、前記端末の前記コンテキストは、第２のAMFネットワークエレメントの識別子及び原因値を含み、前記原因値は、第１のAMFネットワークエレメントが利用不可能であることを示す、ステップと、
前記第３のAMFネットワークエレメントにより、前記サービス要求メッセージを前記第２のAMFネットワークエレメントに送信するステップであり、前記サービス要求メッセージは、前記端末のセッションのためのユーザプレーンリソースの確立に使用される、ステップと
を含む方法。
【請求項７】
セッション処理方法であって、
第３のAMFネットワークエレメントにより、第２のSMFネットワークエレメントから、端末にサービス提供する第１のAMFネットワークエレメントが利用不可能であることを習得したとき、前記第３のAMFネットワークエレメントにより、データベースから端末のコンテキストを取得するステップであり、前記端末の前記コンテキストは、第２のAMFネットワークエレメントの識別子及びページング状態指示を含み、前記ページング状態指示は、前記端末が前記第２のAMFネットワークエレメントによりページングされることを示す、ステップと、
前記第３のAMFネットワークエレメントにより、前記第２のAMFネットワークエレメントのアドレス又は前記第２のAMFネットワークエレメントの前記識別子を前記第２のSMFネットワークエレメントに送信するか、或いは前記第３のAMFネットワークエレメントにより、前記端末の前記コンテキストを更新するために、前記第２のSMFネットワークエレメントの識別子を前記データベースに送信するステップと
を含む方法。
【請求項８】
セッション処理方法であって、
SMFネットワークエレメントにより、第１のAMFネットワークエレメントが属するAMFプールのプール識別子を取得するステップと、
前記第１のAMFネットワークエレメントが利用不可能であるとき、前記SMFネットワークエレメントにより、前記プール識別子に基づいて、第２のAMFネットワークエレメントを決定するステップであり、前記第２のAMFネットワークエレメント及び前記第１のAMFネットワークエレメントは同じAMFプールに属する、ステップと、
前記SMFネットワークエレメントにより、端末のコンテキストを取得して前記端末をページングするように、前記第２のAMFネットワークエレメントをトリガーするステップと
を含む方法。
【請求項９】
前記SMFネットワークエレメントにより、前記プール識別子に基づいて、第２のAMFネットワークエレメントを決定することは、
前記SMFネットワークエレメントにより、前記プール識別子に基づいて、前記第１のAMFネットワークエレメントと同じプール識別子を有する第２のAMFネットワークエレメントを求めて、ローカルに記憶されたAMF情報を検索することであり、前記AMF情報は、前記第２のAMFネットワークエレメントと前記プール識別子との間の関連付けを含む、ことを含む、請求項８に記載の方法。
【請求項１０】
前記SMFネットワークエレメントにより、前記プール識別子に基づいて、第２のAMFネットワークエレメントを決定することは、
前記SMFネットワークエレメントにより、第１のクエリ要求メッセージをネットワークリポジトリ機能NRFエンティティに送信することであり、前記第１のクエリ要求メッセージは前記プール識別子を搬送する、ことと、
前記SMFネットワークエレメントにより、前記NRFエンティティから前記第２のAMFネットワークエレメントのアドレス又は前記第２のAMFネットワークエレメントの識別子を受信することと
を含む、請求項８に記載の方法。
【請求項１１】
前記SMFネットワークエレメントにより、前記プール識別子に基づいて、第２のAMFネットワークエレメントを決定することは、
前記SMFネットワークエレメントにより、第２のクエリ要求メッセージをデータベースに送信することであり、前記第２のクエリ要求メッセージは前記プール識別子を搬送する、ことと、
前記SMFネットワークエレメントにより、前記データベースから前記第２のAMFネットワークエレメントのアドレス又は前記第２のAMFネットワークエレメントの識別子を受信することと
を含む、請求項８に記載の方法。
【請求項１２】
SMFネットワークエレメントにより、第１のAMFネットワークエレメントが属するAMFプールのプール識別子を取得することは、
前記SMFネットワークエレメントにより、前記第１のAMFネットワークエレメントから前記プール識別子を受信することを含む、請求項８乃至１１のうちいずれか１項に記載の方法。
【請求項１３】
前記SMFネットワークエレメントにより、前記プール識別子に基づいて、第２のAMFネットワークエレメントを決定することは、
前記SMFネットワークエレメントにより、前記プール識別子に基づいて第３のメッセージを第３のAMFネットワークエレメントに送信することであり、前記第１のAMFネットワークエレメント及び前記第３のAMFネットワークエレメントは同じAMFプールに属し、前記第３のメッセージは原因値を搬送し、前記原因値は、前記第１のAMFネットワークエレメントが利用不可能であることを示す、ことと、
前記SMFネットワークエレメントにより、前記第３のAMFネットワークエレメントから前記第２のAMFネットワークエレメントの前記アドレス又は前記第２のAMFネットワークエレメントの前記識別子を受信することと
を含む、請求項８乃至１２のうちいずれか１項に記載の方法。
【請求項１４】
前記SMFネットワークエレメントにより、セッション管理メッセージをキャッシュするステップと、
前記SMFネットワークエレメントにより、前記第２のAMFネットワークエレメントから第２のメッセージを受信した後に、前記キャッシュされたセッション管理メッセージを前記第２のAMFネットワークエレメントに送信するステップであり、前記セッション管理メッセージはセッションの識別子を含み、前記セッションの前記識別子は前記セッションを前記SMFネットワークエレメントに関連付ける、ステップと
を更に含む、請求項８乃至１３のうちいずれか１項に記載の方法。
【請求項１５】
前記SMFネットワークエレメントにより、端末のコンテキストを取得して前記端末をページングするように、前記第２のAMFネットワークエレメントをトリガーすることは、
前記SMFネットワークエレメントにより、第１のメッセージを前記第２のAMFネットワークエレメントに送信することであり、前記第１のメッセージは、前記端末の永久識別子及び原因値を含み、前記永久識別子は、前記端末の前記コンテキストの獲得に使用され、前記原因値は、前記第１のAMFネットワークエレメントが利用不可能であることを示す、ことを含む、請求項８乃至１４のうちいずれか１項に記載の方法。
【請求項１６】
第１のセッション管理機能SMFネットワークエレメントから、端末にサービス提供する第１のAMFネットワークエレメントが利用不可能であることを習得し、データベースから前記端末のコンテキストを取得するように構成された受信モジュールであり、前記端末の前記コンテキストは、前記第１のSMFネットワークエレメントの識別子及び第２のSMFネットワークエレメントの識別子を含む、受信モジュールと、
前記端末をページングし、前記端末の前記コンテキストを更新するために、第２のAMFネットワークエレメントの識別子及びページング状態指示を前記データベースに送信するように構成された送信モジュールであり、前記ページング状態指示は、前記端末が前記第２のAMFネットワークエレメントによりページングされることを示す、送信モジュールと
を含み、
前記受信モジュールは、前記端末からサービス要求メッセージを受信するように更に構成され、前記サービス要求メッセージは、前記端末のセッションのためのユーザプレーンリソースの確立に使用される、ネットワークエレメント。
【請求項１７】
前記受信モジュールは、前記第１のSMFネットワークエレメントから第１のメッセージを受信するように具体的に構成され、前記第１のメッセージは前記端末の永久識別子及び原因値を含み、前記永久識別子は、前記端末の前記コンテキストの獲得に使用され、前記原因値は、前記第１のAMFネットワークエレメントが利用不可能であることを示す、請求項１６に記載のネットワークエレメント。
【請求項１８】
前記送信モジュールは、前記第１のメッセージがセッション管理メッセージを含まないとき、前記端末の前記コンテキストを更新するために、前記第１のSMFネットワークエレメントの前記識別子を前記データベースに送信するように更に構成される、請求項１７に記載のネットワークエレメント。
【請求項１９】
前記送信モジュールは、ページングメッセージを前記端末に送信するように具体的に構成され、前記ページングメッセージは前記第２のAMFネットワークエレメントの前記識別子又は前記端末の一時識別子を含み、前記一時識別子は前記第２のAMFネットワークエレメントの前記識別子を含む、請求項１６乃至１８のうちいずれか１項に記載のネットワークエレメント。
【請求項２０】
前記受信モジュールは、前記データベースから前記第１のSMFネットワークエレメントの前記識別子及び前記第２のSMFネットワークエレメントの前記識別子を取得するように更に構成され、
前記送信モジュールは、それぞれの第２のメッセージを前記第１のSMFネットワークエレメント及び前記第２のSMFネットワークエレメントに送信するように更に構成され、
前記受信モジュールは、前記第１のSMFネットワークエレメントから第１のセッション管理メッセージを受信し、前記第１のセッション管理メッセージは第１のセッションの識別子を含み、前記第１のセッションの前記識別子は前記第１のセッションを前記第１のSMFネットワークエレメントに関連付け、前記第２のSMFネットワークエレメントから第２のセッション管理メッセージを受信し、前記第２のセッション管理メッセージは第２のセッションの識別子を含み、前記第２のセッションの前記識別子は前記第２のセッションを前記第２のSMFネットワークエレメントに関連付ける、ように更に構成される、請求項１８又は１９に記載のネットワークエレメント。
【請求項２１】
基地局から端末のサービス要求メッセージを受信した後に、データベースから前記端末のコンテキストを取得するように構成された受信モジュールであり、前記端末の前記コンテキストは、第２のAMFネットワークエレメントの識別子及び原因値を含み、前記原因値は、第１のAMFネットワークエレメントが利用不可能であることを示す、受信モジュールと、
前記サービス要求メッセージを前記第２のAMFネットワークエレメントに送信するように構成された送信モジュールであり、前記サービス要求メッセージは、前記端末のセッションのためのユーザプレーンリソースの確立に使用される、送信モジュールと
を含むネットワークエレメント。
【請求項２２】
第２のSMFネットワークエレメントから、端末にサービス提供する第１のAMFネットワークエレメントが利用不可能であることを習得し、データベースから端末のコンテキストを取得するように構成された受信モジュールであり、前記端末の前記コンテキストは、第２のAMFネットワークエレメントの識別子及びページング状態指示を含み、前記ページング状態指示は、前記端末が前記第２のAMFネットワークエレメントによりページングされることを示す、受信モジュールと、
前記第２のAMFネットワークエレメントのアドレス又は前記第２のAMFネットワークエレメントの前記識別子を前記第２のSMFネットワークエレメントに送信するか、或いは前記端末の前記コンテキストを更新するために、前記第２のSMFネットワークエレメントの識別子を前記データベースに送信するように構成された送信モジュールと
を含むネットワークエレメント。
【請求項２３】
第１のAMFネットワークエレメントが属するAMFプールのプール識別子を取得し、前記第１のAMFネットワークエレメントが利用不可能であるとき、前記プール識別子に基づいて、第２のAMFネットワークエレメントを決定し、前記第２のAMFネットワークエレメント及び前記第１のAMFネットワークエレメントは同じAMFプールに属し、端末のコンテキストを取得して前記端末をページングするように、前記第２のAMFネットワークエレメントをトリガーする、ように構成された処理モジュール
を含むネットワークエレメント。
【請求項２４】
前記処理モジュールは、前記プール識別子に基づいて、前記第１のAMFネットワークエレメントと同じプール識別子を有する第２のAMFネットワークエレメントを求めて、ローカルに記憶されたAMF情報を検索するように具体的に構成され、前記AMF情報は、前記第２のAMFネットワークエレメントと前記プール識別子との間の関連付けを含む、請求項２３に記載のネットワークエレメント。
【請求項２５】
前記ネットワークエレメントは、送信モジュールと、受信モジュールとを更に含み、前記プール識別子に基づいて、前記第２のAMFネットワークエレメントを決定するために、前記送信モジュールは、第１のクエリ要求メッセージをネットワークリポジトリ機能NRFエンティティに送信するように構成され、前記第１のクエリ要求メッセージは前記プール識別子を搬送し、前記受信モジュールは、前記NRFエンティティから前記第２のAMFネットワークエレメントのアドレス又は前記第２のAMFネットワークエレメントの識別子を受信するように構成される、請求項２３に記載のネットワークエレメント。
【請求項２６】
前記ネットワークエレメントは、送信モジュールと、受信モジュールとを更に含み、前記プール識別子に基づいて、前記第２のAMFネットワークエレメントを決定するために、前記送信モジュールは、第２のクエリ要求メッセージをデータベースに送信するように構成され、前記第２のクエリ要求メッセージは前記プール識別子を搬送し、前記受信モジュールは、前記データベースから前記第２のAMFネットワークエレメントのアドレス又は前記第２のAMFネットワークエレメントの識別子を受信するように構成される、請求項２３に記載のネットワークエレメント。
【請求項２７】
前記ネットワークエレメントは、前記受信モジュールを更に含み、第１のAMFネットワークエレメントが属する前記AMFプールの前記プール識別子を取得するために、前記受信モジュールは、前記第１のAMFネットワークエレメントから前記プール識別子を受信するように構成される、請求項２３乃至２６のうちいずれか１項に記載のネットワークエレメント。
【請求項２８】
前記ネットワークエレメントは、前記送信モジュールと、前記受信モジュールとを更に含み、前記プール識別子に基づいて、前記第２のAMFネットワークエレメントを決定するために、前記送信モジュールは、前記プール識別子に基づいて第３のメッセージを第３のAMFネットワークエレメントに送信するように構成され、前記第１のAMFネットワークエレメント及び前記第３のAMFネットワークエレメントは同じAMFプールに属し、前記第３のメッセージは原因値を搬送し、前記原因値は、前記第１のAMFネットワークエレメントが利用不可能であることを示し、前記受信モジュールは、前記第３のAMFネットワークエレメントから前記第２のAMFネットワークエレメントの前記アドレス又は前記第２のAMFネットワークエレメントの前記識別子を受信するように構成される、請求項２３乃至２７のうちいずれか１項に記載のネットワークエレメント。
【請求項２９】
前記処理モジュールは、セッション管理メッセージをキャッシュするように更に構成され、
前記ネットワークエレメントは、
前記第２のAMFネットワークエレメントから第２のメッセージを受信するように構成された前記受信モジュールと、
前記キャッシュされたセッション管理メッセージを前記第２のAMFネットワークエレメントに送信するように構成された前記送信モジュールと
を更に含み、前記セッション管理メッセージはセッションの識別子を含み、前記セッションの前記識別子は前記セッションを前記SMFネットワークエレメントに関連付ける、請求項２３乃至２８のうちいずれか１項に記載のネットワークエレメント。
【請求項３０】
前記ネットワークエレメントは、前記送信モジュールを更に含み、前記端末の前記コンテキストを取得して前記端末をページングするように、前記第２のAMFネットワークエレメントをトリガーするために、前記送信モジュールは、第１のメッセージを前記第２のAMFネットワークエレメントに送信するように構成され、前記第１のメッセージは、前記端末の永久識別子及び原因値を含み、前記永久識別子は、前記端末の前記コンテキストの獲得に使用され、前記原因値は、前記第１のAMFネットワークエレメントが利用不可能であることを示す、請求項２３乃至２９のうちいずれか１項に記載のネットワークエレメント。
【発明の詳細な説明】
【技術分野】
【０００１】
本発明は、通信技術の分野に関し、特にセッション処理方法及び関係するデバイスに関する。
【背景技術】
【０００２】
5Gシステムアーキテクチャでは、アクセス及びモビリティ管理機能（Access  and  Mobility  Management  Function,  AMF）ネットワークエレメントは、アクセス制御、モビリティ管理、アタッチ及びデタッチ、並びにセッション管理機能のような重要な機能を実行し、非常に重要なコアネットワークエレメントである。システムアップグレード、デバイスの停電、過度に重い負荷又は他の要因のため、AMFネットワークエレメントが利用不可能になると、大量の移動通信ユーザは通常の通信を実行できない。したがって、利用不可能なAMFネットワークエレメントを引き継ぐために利用可能なAMFネットワークエレメントをタイムリーに選択することは、AMFネットワークエレメントが利用不可能であるという問題を解決するための方法の１つである。
【０００３】
現在、現在接続されているAMFネットワークエレメントが利用不可能であることを習得したとき、セッション管理機能（Session  Management  Function,  SMF）ネットワークエレメントは、利用不可能なAMFネットワークエレメントを交換するために、利用可能なAMFネットワークエレメントを再選択してもよい。SMFネットワークエレメントは、端末セッションに関連するネットワークエンティティである。端末が１つのみのSMFネットワークエレメントによりサービス提供されるとき、SMFネットワークエレメントは、利用可能なAMFネットワークエレメントを再選択する。
【０００４】
しかし、端末が複数のセッションに関連する複数のSMFネットワークエレメントによりサービス提供される場合、端末に現在サービス提供しているAMFネットワークエレメントが利用不可能であると複数のSMFネットワークエレメントが同時に見つけ、複数のSMFネットワークエレメントに対応する複数のセッションの下りリンクサービスが同時に到達したとき、それぞれのSMFネットワークエレメントにより再選択された利用可能なAMFネットワークエレメントは異なる可能性がある。複数のAMFネットワークエレメントを使用することにより１つの端末にサービス提供することは、手順のコンフリクトを引き起こす可能性がある。したがって、このシナリオでは、どのように複数のSMFネットワークエレメントが同じ利用可能なAMFネットワークエレメントを再選択することを確保するかが、解決される必要のある問題である。
【発明の概要】
【０００５】
本発明の実施例は、セッション処理方法及び関係するデバイスを提供する。端末が複数のSMFに関連する複数のセッションを有するとき、ページングをトリガーする１つの第２のAMFネットワークエレメントが端末に最終的にサービス提供することが確保でき、それにより、１つの端末にサービス提供する複数のAMFネットワークエレメントにより引き起こされる手順のコンフリクトを回避する。
【０００６】
第１の態様によれば、本発明の実施例はセッション処理方法を提供し、
第２のアクセス及びモビリティ管理機能AMFネットワークエレメントにより、第１のセッション管理機能SMFネットワークエレメントから、端末にサービス提供する第１のAMFネットワークエレメントが利用不可能であることを習得したとき、第２のAMFネットワークエレメントにより、データベースから端末のコンテキストを取得するステップであり、端末のコンテキストは、第１のSMFネットワークエレメントの識別子及び第２のSMFネットワークエレメントの識別子を含む、ステップと、第２のAMFネットワークエレメントにより、端末をページングし、端末のコンテキストを更新するために、第２のAMFネットワークエレメントの識別子及びページング状態指示をデータベースに送信するステップであり、ページング状態指示は、端末が第２のAMFネットワークエレメントによりページングされることを示す、ステップと、第２のAMFネットワークエレメントにより、端末からサービス要求メッセージを受信するステップであり、サービス要求メッセージは、端末のセッションのためのユーザプレーンリソースの確立に使用される、ステップとを含む。
【０００７】
この技術的解決策では、端末が複数のSMFに関連する複数のセッションを有するとき、第２のSMFネットワークエレメント及び第１のSMFネットワークエレメントが第１のAMFネットワークエレメントを交換するために異なるAMFネットワークエレメントを最初に選択したとしても、端末のコンテキスト内の第２のAMFネットワークエレメントの識別子及びページング状態指示に基づいて、ページングをトリガーする第２のAMFネットワークエレメントが最終的に端末にサービス提供することが確保でき、それにより、１つの端末にサービス提供する複数のAMFネットワークエレメントにより引き起こされる手順のコンフリクトを回避する。
【０００８】
第１の態様の第１の可能な実現方式では、第２のAMFネットワークエレメントは、第１のSMFネットワークエレメントから第１のメッセージを受信する。第１のメッセージは、端末の永久識別子及び原因値を含み、永久識別子は、端末のコンテキストの獲得に使用され、原因値は、第１のAMFネットワークエレメントが利用不可能であることを示す。
【０００９】
第１の態様の第１の可能な実現方式を参照して、第１の態様の第２の可能な実現方式では、第１のメッセージがセッション管理メッセージを含まないとき、第２のAMFネットワークエレメントは、端末のコンテキストを更新するために、第１のSMFネットワークエレメントの識別子をデータベースに更に送信する。
【００１０】
この技術的解決策では、第２のSMFネットワークエレメントの識別子は、第２のSMFネットワークエレメントに対応するセッションが下りリンクサービスを有することを示す。したがって、端末のサービス要求メッセージを受信した後に、第２のAMFネットワークエレメントは、第２のSMFネットワークエレメントに関連する第２のセッションのためのユーザプレーンリソースを確立してもよい。
【００１１】
第１の態様又は第１の態様の第１若しくは第２の可能な実現方式のうちいずれか１つを参照して、第１の態様の第３の可能な実現方式では、第２のAMFネットワークエレメントは、ページングメッセージを端末に送信する。ページングメッセージは、第２のAMFネットワークエレメントの識別子を含むか、或いは端末の一時識別子を含み、一時識別子は第２のAMFネットワークエレメントの識別子を含む。
【００１２】
第１の態様の第２又は第３の可能な実現方式を参照して、第１の態様の第４の可能な実現方式では、第２のAMFネットワークエレメントは、データベースから第１のSMFネットワークエレメントの識別子及び第２のSMFネットワークエレメントの識別子を取得し、第２のAMFネットワークエレメントは、それぞれの第２のメッセージを第１のSMFネットワークエレメント及び第２のSMFネットワークエレメントに送信し、第１のSMFネットワークエレメント及び第２のSMFは、第１のセッション管理メッセージ及び第２のセッション管理メッセージを第２のAMFネットワークエレメントにそれぞれ送信する。第１のセッション管理メッセージは第１のセッションの識別子を含み、第１のセッションの識別子は第１のセッションを第１のSMFネットワークエレメントに関連付ける。第２のセッション管理メッセージは第２のセッションの識別子を含み、第２のセッションの識別子は第２のセッションを第２のSMFネットワークエレメントに関連付ける。
【００１３】
この技術的解決策では、第１のSMFネットワークエレメント及び第２のSMFネットワークエレメントの識別子は、第１のSMFネットワークエレメント及び第２のSMFネットワークエレメントにそれぞれ対応するセッションが下りリンクサービスを有することを示す。したがって、端末のサービス要求メッセージを受信した後に、第２のAMFネットワークエレメントは、第１のSMFネットワークエレメントから第１のセッション管理メッセージを取得し、第２のSMFネットワークエレメントから第２のセッション管理メッセージを取得してもよい。このように、第２のAMFネットワークエレメントは、ユーザプレーンリソースを確立するように、第１のSMFネットワークエレメントに関連する第１のセッション及び第２のSMFネットワークエレメントに関連する第２のセッションをトリガーする。
【００１４】
第２の態様によれば、本発明の実施例は他のセッション処理方法を提供し、
第３のAMFネットワークエレメントにより、基地局から端末のサービス要求メッセージを受信した後に、データベースから端末のコンテキストを取得するステップであり、端末のコンテキストは、第２のAMFネットワークエレメントの識別子及び原因値を含み、原因値は、第１のAMFが利用不可能であることを示す、ステップと、第３のAMFネットワークエレメントにより、サービス要求メッセージを第２のAMFネットワークエレメントに送信するステップであり、サービス要求メッセージは、端末のセッションのためのユーザプレーンリソースの確立に使用される、ステップとを含む。
【００１５】
この技術的解決策では、第３のAMFネットワークエレメントは、端末のコンテキストに基づいて、第２のAMFネットワークエレメントが端末にサービス提供するAMFネットワークエレメントとして決定されていると決定し、それにより、処理のために端末のサービス要求メッセージを第２のAMFネットワークエレメントに転送する。基地局及び第１のSMFネットワークエレメントにより選択されたAMFネットワークエレメントが異なっているとしても、端末のサービス要求メッセージを処理するAMFネットワークエレメントが端末へのページングをトリガーするAMFネットワークエレメントと同じであることが最終的に確保できる。
【００１６】
第３の態様によれば、本発明の実施例は他のセッション処理方法を提供し、
第３のAMFネットワークエレメントにより、第２のSMFネットワークエレメントから、端末にサービス提供する第１のAMFネットワークエレメントが利用不可能であることを習得したとき、第３のAMFネットワークエレメントにより、データベースから端末のコンテキストを取得するステップであり、端末のコンテキストは、第２のAMFネットワークエレメントの識別子及びページング状態指示を含み、ページング状態指示は、端末が第２のAMFネットワークエレメントによりページングされることを示す、ステップと、第３のAMFネットワークエレメントにより、第２のAMFネットワークエレメントのアドレス又は第２のAMFネットワークエレメントの識別子を第２のSMFネットワークエレメントに送信するステップ、又は第３のAMFネットワークエレメントにより、端末のコンテキストを更新するために、第２のSMFネットワークエレメントの識別子をデータベースに送信するステップとを含む。
【００１７】
この技術的解決策では、第３のAMFネットワークエレメントは、端末のコンテキストに基づいて、第２のAMFネットワークエレメントが端末にサービス提供するAMFネットワークエレメントとして決定されていると決定し、それにより、第２のAMFネットワークエレメントのアドレス又は第２のAMFネットワークエレメントの識別子を第２のSMFネットワークエレメントに送信し、第２のSMFネットワークエレメントに対してメッセージを第２のAMFに再送信するか、或いは第２のSMFネットワークエレメントの識別子をデータベースに送信するように命令する。このように、第２のAMFネットワークエレメントは、コンテキストを取得したとき、第２のSMFネットワークエレメントに対応するセッションが下りリンクサービスを有しており、サービスを処理することを習得する。これは、ページングをトリガーする第２のAMFネットワークエレメントが端末に最終的にサービス提供することを確保し、それにより、１つの端末にサービス提供する複数のAMFネットワークエレメントにより引き起こされる手順のコンフリクトを回避する。
【００１８】
第４の態様によれば、本発明の実施例は他のセッション処理方法を提供し、
SMFネットワークエレメントにより、第１のAMFネットワークエレメントが属するAMFプールのプール識別子を取得するステップと、第１のAMFネットワークエレメントが利用不可能であるとき、SMFネットワークエレメントにより、プール識別子に基づいて、第１のAMFネットワークエレメントと同じAMFプールに属する第２のAMFネットワークエレメントを決定するステップと、SMFネットワークエレメントにより、端末のコンテキストを取得して端末をページングするように、第２のAMFネットワークエレメントをトリガーするステップとを含む。
【００１９】
この技術的解決策では、第１のAMFネットワークエレメントが利用不可能であることを習得した後に、SMFネットワークエレメントは、第１のAMFネットワークエレメントを交換するために、第２のAMFネットワークエレメントを選択してもよく、第２のAMFネットワークエレメントは、ローカルに記憶されている端末のコンテキストを削除しない。これは、第１のAMFネットワークエレメントが利用不可能であるときの端末のセッションサービスの迅速な回復を確保し、それにより、ネットワークエレメントの信頼性を改善する。
【００２０】
第４の態様の第１の可能な実現方式では、SMFネットワークエレメントは、プール識別子に基づいて、第１のAMFネットワークエレメントと同じプール識別子を有する第２のAMFネットワークエレメントを求めて、ローカルに記憶されたAMF情報を検索する。AMF情報は、第２のAMFネットワークエレメントとプール識別子との間の関連付けを含む。
【００２１】
この技術的解決策では、SMFネットワークエレメントは、セッションサービスの回復を速めるために、第１のAMFネットワークエレメントと同じプール識別子を有する第２のAMFネットワークエレメントを求めて直接ローカルで検索してもよく、それにより、ネットワークエレメントの信頼性を改善する。
【００２２】
第４の態様の第２の可能な実現方式では、SMFネットワークエレメントは、第１のクエリ要求メッセージをネットワークリポジトリ機能NRFエンティティに送信し、第１のクエリ要求メッセージはプール識別子を搬送する。SMFネットワークエレメントは、NRFエンティティから第２のAMFネットワークエレメントのアドレス又は第２のAMFネットワークエレメントの識別子を受信する。
【００２３】
第４の態様の第３の可能な実現方式では、SMFネットワークエレメントは、第２のクエリ要求メッセージをデータベースに送信し、第２のクエリ要求メッセージはプール識別子を搬送する。SMFネットワークエレメントは、データベースから第２のAMFネットワークエレメントのアドレス又は第２のAMFネットワークエレメントの識別子を受信する。
【００２４】
第４の態様又は第４の態様の第１〜第３の可能な実現方式のうちいずれか１つを参照して、第４の態様の第４の可能な実現方式では、SMFネットワークエレメントは、第１のAMFネットワークエレメントからプール識別子を受信する。
【００２５】
第４の態様又は第４の態様の第１〜第４の可能な実現方式のうちいずれか１つを参照して、第４の態様の第５の可能な実現方式では、SMFネットワークエレメントは、プール識別子に基づいて第３のメッセージを第３のAMFネットワークエレメントに送信する。第１のAMFネットワークエレメント及び第３のAMFネットワークエレメントは同じAMFプールに属し、第３のメッセージは原因値を搬送し、原因値は、第１のAMFネットワークエレメントが利用不可能であることを示す。SMFネットワークエレメントは、第３のAMFネットワークエレメントから第２のAMFネットワークエレメントのアドレス又は第２のAMFネットワークエレメントの識別子を受信する。
【００２６】
この技術的解決策では、第３のAMFネットワークエレメントは、第１のAMFネットワークエレメントを交換するためにSMFネットワークエレメントにより選択されたネットワークエレメントである。第３のAMFネットワークエレメントは、端末が第２のAMFネットワークエレメントによりサービス提供されることを第２のSMFネットワークエレメントに通知するために、コンテキストに基づいて、第２のAMFネットワークエレメントのアドレス又は第２のAMFネットワークエレメントの識別子を第２のSMFネットワークエレメントに送信してもよい。これは、ページングをトリガーする第２のAMFネットワークエレメントが端末に最終的にサービス提供することを確保し、それにより、１つの端末にサービス提供する複数のAMFネットワークエレメントにより引き起こされる手順のコンフリクトを回避する。
【００２７】
第４の態様又は第４の態様の第１〜第５の可能な実現方式のうちいずれか１つを参照して、第４の態様の第６の可能な実現方式では、SMFネットワークエレメントは、セッション管理メッセージをキャッシュする。SMFネットワークエレメントは、第２のAMFネットワークエレメントから第２のメッセージを受信した後に、キャッシュされたセッション管理メッセージを第２のAMFネットワークエレメントに送信する。セッション管理メッセージはセッションの識別子を含み、セッションの識別子はセッションをSMFネットワークエレメントに関連付ける。
【００２８】
第４の態様又は第４の態様の第１〜第６の可能な実現方式のうちいずれか１つを参照して、第４の態様の第７の可能な実現方式では、SMFネットワークエレメントは、第１のメッセージを第２のAMFネットワークエレメントに送信する。第１のメッセージは、端末の永久識別子及び原因値を含み、永久識別子は、端末のコンテキストの獲得に使用され、原因値は、第１のAMFが利用不可能であることを示す。
【００２９】
第５の態様によれば、本発明の実施例は他のセッション処理方法を提供し、
第２のAMFネットワークエレメントにより、SMFネットワークエレメントから第１のメッセージを受信するステップであり、第１のメッセージは原因値を含み、原因値は、端末にサービス提供する第１のAMFが利用不可能であることを示す、ステップと、第２のAMFネットワークエレメントにより、端末をページングし、端末のコンテキストを更新するために、第２のAMFネットワークエレメントの識別子及び原因値をデータベースに送信するステップと、第２のAMFネットワークエレメントにより、第３のAMFネットワークエレメントからサービス要求メッセージを受信するステップであり、サービス要求メッセージは、端末のセッションのためのユーザプレーンリソースの確立に使用される、ステップとを含む。
【００３０】
この技術的解決策では、第２のAMFネットワークエレメントが端末にサービス提供するために第１のAMFネットワークエレメントを交換することが決定された後に、第２のAMFネットワークエレメントは、第２のAMFネットワークエレメントの識別子及び原因値をデータベースに送信し、それにより、第３のAMFネットワークエレメントは、端末のコンテキストに基づいて、第２のAMFネットワークエレメントが端末にサービス提供するAMFネットワークエレメントとして決定されていると決定し、処理のために端末のサービス要求メッセージを第２のAMFネットワークエレメントに転送してもよく、それにより、端末のサービス要求メッセージを処理するAMFネットワークエレメントが端末へのページングをトリガーするAMFネットワークエレメントと同じであることを最終的に確保する。
【００３１】
第６の態様によれば、本発明の実施例は他のセッション処理方法を提供し、
第２のAMFネットワークエレメントにより、SMFネットワークエレメントから、端末にサービス提供する第１のAMFネットワークエレメントが利用不可能であることを習得したとき、第２のAMFネットワークエレメントにより、ページングメッセージを端末に送信するステップであり、ページングメッセージは、第２のAMFネットワークエレメントの識別子を含むか、或いは端末の一時識別子を含み、一時識別子は第２のAMFネットワークエレメントの識別子を含む、ステップと、第２のAMFネットワークエレメントにより、端末からサービス要求メッセージを受信するステップであり、サービス要求メッセージは、端末のセッションのためのユーザプレーンリソースの確立に使用される、ステップとを含む。
【００３２】
この技術的解決策では、第２のAMFネットワークエレメントが端末にサービス提供するために第１のAMFネットワークエレメントを交換することが決定された後に、第２のAMFネットワークエレメントは、ページングメッセージを端末に送信する。ページングメッセージは、第２のAMFネットワークエレメントの識別子又は端末の一時識別子を含む。このように、端末により送信されるサービス要求メッセージはまた、第２のAMFネットワークエレメントの識別子を搬送する。したがって、基地局は、処理のために端末のサービス要求メッセージを第２のAMFネットワークエレメントに送信してもよく、それにより、端末のサービス要求メッセージを処理するAMFネットワークエレメントが端末へのページングをトリガーするAMFネットワークエレメントと同じであることを最終的に確保する。
【００３３】
この出願の第７の態様はネットワークエレメントを提供する。ネットワークエレメントは、プロセッサと、メモリと、トランシーバとを含む。プロセッサは、メモリ及びトランシーバに接続される。例えば、プロセッサは、バスを使用することにより、メモリ及びトランシーバに接続されてもよい。トランシーバは、他のネットワークデバイスと通信するように構成される。メモリは、サービス要求メッセージ等を記憶するように構成される。プロセッサは、第１の態様における一部又は全部の手順を実行するように構成される。
【００３４】
この出願の第８の態様は他のネットワークエレメントを提供する。ネットワークエレメントは、受信モジュールと、送信モジュールとを含む。送信モジュール及び受信モジュールは、第７の態様におけるトランシーバを実現するように構成される。ネットワークエレメントは、前述のモジュールを使用することにより、第１の態様における方法の一部又は全部のステップを実現する。
【００３５】
この出願の第９の態様は記憶媒体を提供する。記憶媒体はプログラムコードを記憶する。プログラムコードがコンピューティングデバイス上で実行されるとき、コンピューティングデバイスは、第１の態様又は第１の態様のいずれかの実現方式によるセッション処理方法を実行する。記憶媒体は、フラッシュメモリ（英文：flash  memory）、ハードディスクドライブ（英文：hard  disk  drive,  略称：HDD）又はソリッドステートドライブ（英文：solid  state  drive,  略称：SSD）を含むが、これらに限定されない。
【００３６】
この出願の第１０の態様はコンピュータプログラムプロダクトを提供する。コンピュータプロダクトがコンピューティングデバイス上で実行されるとき、コンピューティングデバイスは、第１の態様又は第１の態様のいずれかの実現方式によるセッション処理方法を実行する。
【００３７】
この出願の第１１の態様はネットワークエレメントを提供する。ネットワークエレメントは、プロセッサと、メモリと、トランシーバとを含む。プロセッサは、メモリ及びトランシーバに接続される。例えば、プロセッサは、バスを使用することにより、メモリ及びトランシーバに接続されてもよい。トランシーバは、他のネットワークデバイスと通信するように構成される。メモリは、サービス要求メッセージ等を記憶するように構成される。プロセッサは、第２の態様における一部又は全部の手順を実行するように構成される。
【００３８】
この出願の第１２の態様は他のネットワークエレメントを提供する。ネットワークエレメントは、受信モジュールと、送信モジュールとを含む。送信モジュール及び受信モジュールは、第１１の態様におけるトランシーバを実現するように構成される。ネットワークエレメントは、前述のモジュールを使用することにより、第２の態様における方法の一部又は全部のステップを実現する。
【００３９】
この出願の第１３の態様は記憶媒体を提供する。記憶媒体はプログラムコードを記憶する。プログラムコードがコンピューティングデバイス上で実行されるとき、コンピューティングデバイスは、第２の態様又は第２の態様のいずれかの実現方式によるセッション処理方法を実行する。記憶媒体は、フラッシュメモリ（英文：flash  memory）、ハードディスクドライブ（英文：hard  disk  drive,  略称：HDD）又はソリッドステートドライブ（英文：solid  state  drive,  略称：SSD）を含むが、これらに限定されない。
【００４０】
この出願の第１４の態様はコンピュータプログラムプロダクトを提供する。コンピュータプロダクトがコンピューティングデバイス上で実行されるとき、コンピューティングデバイスは、第２の態様又は第２の態様のいずれかの実現方式によるセッション処理方法を実行する。
【００４１】
この出願の第１５の態様はネットワークエレメントを提供する。ネットワークエレメントは、プロセッサと、メモリと、トランシーバとを含む。プロセッサは、メモリ及びトランシーバに接続される。例えば、プロセッサは、バスを使用することにより、メモリ及びトランシーバに接続されてもよい。トランシーバは、他のネットワークデバイスと通信するように構成される。メモリは、サービス要求メッセージ等を記憶するように構成される。プロセッサは、第３の態様における一部又は全部の手順を実行するように構成される。
【００４２】
この出願の第１６の態様は他のネットワークエレメントを提供する。ネットワークエレメントは、受信モジュールと、送信モジュールとを含む。送信モジュール及び受信モジュールは、第１５の態様におけるトランシーバを実現するように構成される。ネットワークエレメントは、前述のモジュールを使用することにより、第３の態様における方法の一部又は全部のステップを実現する。
【００４３】
この出願の第１７の態様は記憶媒体を提供する。記憶媒体はプログラムコードを記憶する。プログラムコードがコンピューティングデバイス上で実行されるとき、コンピューティングデバイスは、第３の態様又は第３の態様のいずれかの実現方式によるセッション処理方法を実行する。記憶媒体は、フラッシュメモリ（英文：flash  memory）、ハードディスクドライブ（英文：hard  disk  drive,  略称：HDD）又はソリッドステートドライブ（英文：solid  state  drive,  略称：SSD）を含むが、これらに限定されない。
【００４４】
この出願の第１８の態様はコンピュータプログラムプロダクトを提供する。コンピュータプロダクトがコンピューティングデバイス上で実行されるとき、コンピューティングデバイスは、第３の態様又は第３の態様のいずれかの実現方式によるセッション処理方法を実行する。
【００４５】
この出願の第１９の態様はネットワークエレメントを提供する。ネットワークエレメントは、プロセッサと、メモリと、トランシーバとを含む。プロセッサは、メモリ及びトランシーバに接続される。例えば、プロセッサは、バスを使用することにより、メモリ及びトランシーバに接続されてもよい。トランシーバは、他のネットワークデバイスと通信するように構成される。メモリは、サービス要求メッセージ等を記憶するように構成される。プロセッサは、第４の態様における一部又は全部の手順を実行するように構成される。
【００４６】
この出願の第２０の態様は他のネットワークエレメントを提供する。ネットワークエレメントは、処理モジュールを含み、任意選択で、受信モジュールと、送信モジュールとを含む。処理モジュールは、第１９の態様におけるプロセッサを実現するように構成される。送信モジュール及び受信モジュールは、第１９の態様におけるトランシーバを実現するように構成される。ネットワークエレメントは、前述のモジュールを使用することにより、第４の態様における方法の一部又は全部のステップを実現する。
【００４７】
この出願の第２１の態様は記憶媒体を提供する。記憶媒体はプログラムコードを記憶する。プログラムコードがコンピューティングデバイス上で実行されるとき、コンピューティングデバイスは、第４の態様又は第４の態様のいずれかの実現方式によるセッション処理方法を実行する。記憶媒体は、フラッシュメモリ（英文：flash  memory）、ハードディスクドライブ（英文：hard  disk  drive,  略称：HDD）又はソリッドステートドライブ（英文：solid  state  drive,  略称：SSD）を含むが、これらに限定されない。
【００４８】
この出願の第２２の態様はコンピュータプログラムプロダクトを提供する。コンピュータプロダクトがコンピューティングデバイス上で実行されるとき、コンピューティングデバイスは、第４の態様又は第４の態様のいずれかの実現方式によるセッション処理方法を実行する。
【００４９】
この出願の第２３の態様はネットワークエレメントを提供する。ネットワークエレメントは、プロセッサと、メモリと、トランシーバとを含む。プロセッサは、メモリ及びトランシーバに接続される。例えば、プロセッサは、バスを使用することにより、メモリ及びトランシーバに接続されてもよい。トランシーバは、他のネットワークデバイスと通信するように構成される。メモリは、サービス要求メッセージ等を記憶するように構成される。プロセッサは、第５の態様における一部又は全部の手順を実行するように構成される。
【００５０】
この出願の第２４の態様は他のネットワークエレメントを提供する。ネットワークエレメントは、受信モジュールと、送信モジュールとを含む。送信モジュール及び受信モジュールは、第２３の態様におけるトランシーバを実現するように構成される。ネットワークエレメントは、前述のモジュールを使用することにより、第５の態様における方法の一部又は全部のステップを実現する。
【００５１】
この出願の第２５の態様は記憶媒体を提供する。記憶媒体はプログラムコードを記憶する。プログラムコードがコンピューティングデバイス上で実行されるとき、コンピューティングデバイスは、第５の態様又は第５の態様のいずれかの実現方式によるセッション処理方法を実行する。記憶媒体は、フラッシュメモリ（英文：flash  memory）、ハードディスクドライブ（英文：hard  disk  drive,  略称：HDD）又はソリッドステートドライブ（英文：solid  state  drive,  略称：SSD）を含むが、これらに限定されない。
【００５２】
この出願の第２６の態様はコンピュータプログラムプロダクトを提供する。コンピュータプロダクトがコンピューティングデバイス上で実行されるとき、コンピューティングデバイスは、第５の態様又は第５の態様のいずれかの実現方式によるセッション処理方法を実行する。
【００５３】
この出願の第２７の態様はネットワークエレメントを提供する。ネットワークエレメントは、プロセッサと、メモリと、トランシーバとを含む。プロセッサは、メモリ及びトランシーバに接続される。例えば、プロセッサは、バスを使用することにより、メモリ及びトランシーバに接続されてもよい。トランシーバは、他のネットワークデバイスと通信するように構成される。メモリは、サービス要求メッセージ等を記憶するように構成される。プロセッサは、第６の態様における一部又は全部の手順を実行するように構成される。
【００５４】
この出願の第２８の態様は他のネットワークエレメントを提供する。ネットワークエレメントは、受信モジュールと、送信モジュールとを含む。送信モジュール及び受信モジュールは、第２７の態様におけるトランシーバを実現するように構成される。ネットワークエレメントは、前述のモジュールを使用することにより、第６の態様における方法の一部又は全部のステップを実現する。
【００５５】
この出願の第２９の態様は記憶媒体を提供する。記憶媒体はプログラムコードを記憶する。プログラムコードがコンピューティングデバイス上で実行されるとき、コンピューティングデバイスは、第６の態様又は第６の態様のいずれかの実現方式によるセッション処理方法を実行する。記憶媒体は、フラッシュメモリ（英文：flash  memory）、ハードディスクドライブ（英文：hard  disk  drive,  略称：HDD）又はソリッドステートドライブ（英文：solid  state  drive,  略称：SSD）を含むが、これらに限定されない。
【００５６】
この出願の第３０の態様はコンピュータプログラムプロダクトを提供する。コンピュータプロダクトがコンピューティングデバイス上で実行されるとき、コンピューティングデバイスは、第６の態様又は第６の態様のいずれかの実現方式によるセッション処理方法を実行する。
【図面の簡単な説明】
【００５７】
本発明の実施例又は背景技術における技術的解決策をより明確に説明するために、以下に、本発明の実施例又は背景技術を説明するための添付図面について簡単に説明する。
【図１】この出願の実施例による通信システムの概略アーキテクチャ図である。
【図２】この出願の実施例によるセッション処理方法の概略フローチャートである。
【図３Ａ】この出願の実施例による他のセッション処理方法の概略フローチャートである。
【図３Ｂ】この出願の実施例による他のセッション処理方法の概略フローチャートである。
【図４】この出願の実施例による他のセッション処理方法の概略フローチャートである。
【図５】この出願の実施例による他のセッション処理方法の概略フローチャートである。
【図６Ａ】この出願の実施例による他のセッション処理方法の概略フローチャートである。
【図６Ｂ】この出願の実施例による他のセッション処理方法の概略フローチャートである。
【図７】この出願の実施例による他のセッション処理方法の概略フローチャートである。
【図８】この出願の実施例によるネットワークエレメントの概略構成図である。
【図９】この出願の実施例による他のネットワークエレメントの概略構成図である。
【図１０】この出願の実施例による他のネットワークエレメントの概略構成図である。
【図１１】この出願の実施例による他のネットワークエレメントの概略構成図である。
【図１２】この出願の実施例による他のネットワークエレメントの概略構成図である。
【図１３】この出願の実施例による他のネットワークエレメントの概略構成図である。
【図１４】この出願の実施例による他のネットワークエレメントの概略構成図である。
【図１５】この出願の実施例による他のネットワークエレメントの概略構成図である。
【図１６】この出願の実施例による他のネットワークエレメントの概略構成図である。
【図１７】この出願の実施例による他のネットワークエレメントの概略構成図である。
【図１８】この出願の実施例による他のネットワークエレメントの概略構成図である。
【図１９】この出願の実施例による他のネットワークエレメントの概略構成図である。
【発明を実施するための形態】
【００５８】
以下に、本発明の実施例における添付図面を参照して、本発明の実施例について説明する。
【００５９】
図１を参照すると、図１は、この出願の実施例による通信システムの概略アーキテクチャ図である。様々なネットワークエレメントの説明は以下の通りである。
【００６０】
端末：これはユーザ装置（User  Equipment,  UE）でもよい。UEは、基地局を使用することにより、ネットワーク側にアクセスするデバイスである。例えば、UEは、ハンドヘルド端末デバイス、ノートブックコンピュータ、加入者ユニット（subscriber  unit）、携帯電話（cellular  phone）、スマートフォン（smartphone）、無線データカード、パーソナルデジタルアシスタント（personal  digital  assistant,  PDA）コンピュータ、タブレットコンピュータ、無線モデム（modem）、ハンドヘルドデバイス（handheld）、ラップトップコンピュータ（laptop  computer）、コードレス電話（cordless  phone）若しくは無線ローカルループ（wireless  local  loop,  WLL）局、マシンタイプ通信（machine  type  communication,  MTC）端末、又はネットワークにアクセスできる他のデバイスでもよい。UEは、エアインタフェース技術を使用することにより、基地局と通信してもよい。
【００６１】
アクセスネットワーク（Radio  Access  Network,  RAN）デバイス：主に、エアインタフェース側での無線リソース管理、サービス品質（QoS,  Quality  of  Service）管理、並びにデータ圧縮及び暗号化のような機能を担う。アクセスネットワークデバイスは、様々な基地局、例えば、マクロ基地局、マイクロ基地局（スモールセルとも呼ばれる）、中継局又はアクセスポイントを含んでもよい。異なる無線アクセス技術を使用するシステムでは、基地局の機能を有するデバイスは異なる名前が付けられてもよい。例えば、デバイスは、第５世代（5th  generation,  5G）システムではgNBと呼ばれ、LTEシステムでは進化型ノードB（evolved  NodeB、eNB又はeNodeB）と呼ばれ、或いは第３世代（3rd  generation,  3G）システムではノードB（Node  B）と呼ばれる。
【００６２】
アクセス及びモビリティ管理機能（Access  and  Mobility  Management  Function,  AMF）ネットワークエレメント：コアネットワークエレメントに属し、主に、シグナリング処理部、すなわち、アクセス制御、モビリティ管理、アタッチ及びデタッチ並びにゲートウェイ選択のような機能を含む制御プレーン機能を担う。
【００６３】
セッション管理機能（Session  Management  Function,  SMF）ネットワークエレメント：ユーザプレーンのネットワークエレメント選択、ユーザプレーンのネットワークエレメントリダイレクト、IP（Internet  Protocol）アドレス割り振り、ベアラ確立、変更及び解放、並びにサービス品質（Quality  of  Service,  QoS）制御を担う。
【００６４】
ユーザプレーン機能（User  Plane  Function,  UPF）エンティティ：ユーザパケット転送、カプセル化及び集計のような機能を担う。
【００６５】
基地局は、少なくとも１つの端末及び少なくとも１つのAMFネットワークエレメントに接続される。少なくとも１つのAMFネットワークエレメントは１つのAMFプール（AMF  pool）に属する。AMFプールは複数のAMFネットワークエレメントのセットに等しく、各AMFプール内の複数のAMFネットワークエレメントは、AMFプールに対応する非構造化データ記憶機能（Unstructured  data  storage  function,  UDSF）ネットワークエレメントに記憶された全てのUEのコンテキストを共有してもよい。言い換えると、複数のAMFネットワークエレメントは同じ無線エリア（AMFプールエリア）にサービス提供する。AMFプール内の複数のAMFネットワークエレメントは、AMFプールエリア内のアクセスネットワークデバイスと相互接続される。AMFプール内の複数のAMFネットワークエレメントは、リソース及びサービス負荷を共有する。１つのAMFネットワークエレメントは少なくとも１つのSMFネットワークエレメントに接続され、端末とのセッションを確立するように構成されてもよい。UPFネットワークエレメントは対応するSMFネットワークエレメントに接続され、ユーザプレーン上でデータを送信するように構成される。
【００６６】
図１における例では、AMF1、AMF2及びAMF3はAMFプール1に属し、UDSF1を共有し、AMF4、AMF5及びAMF6はAMFプール2に属し、UDSF2を共有する。SMF1及びSMF2はAMFプール1内のいずれかのAMFネットワークエレメントに接続されてもよい。SMF1及びSMF2は、それぞれUPF1及びUPF2に接続される。図１は単なる例であり、この出願の実施例はこれに限定されないことが理解され得る。
【００６７】
図２を参照すると、図２は、本発明の実施例によるセッション処理方法の概略フローチャートである。この実施例では、端末は、複数のSMFに関連する複数のセッションを確立する。当該方法は以下のステップを含むが、これらに限定されない。
【００６８】
S101.第１のSMFネットワークエレメントは、第１のAMFネットワークエレメントが属するAMFプールのプール識別子を取得する。
【００６９】
第１のSMFネットワークエレメントは、複数の方法を使用することにより、第１のAMFネットワークエレメントが属するAMFプールのプール識別子を取得してもよい。
【００７０】
可能な実現方式では、第１のSMFネットワークエレメントは、第１のAMFネットワークエレメントが属するAMFプールのプール識別子を要求するために、要求メッセージを第１のAMFネットワークエレメントに送信してもよい。
【００７１】
他の可能な実現方式では、代替として、第１のAMFネットワークエレメントにより第１のSMFネットワークエレメントに送信されるシグナリングは、第１のAMFネットワークエレメントが属するAMFプールのプール識別子を搬送してもよく、それにより、第１のSMFネットワークエレメントは、第１のAMFネットワークエレメントが属するAMFプールのプール識別子を取得する。例えば、端末は、登録中に第１のAMFネットワークエレメントにアタッチする。この場合、第１のAMFネットワークエレメントは、第１のAMFネットワークエレメントが属するAMFプールのプール識別子を第１のSMFネットワークエレメントに送信してもよい。
【００７２】
S102.第１のAMFネットワークエレメントが利用不可能であるとき、第１のSMFネットワークエレメントは、プール識別子に基づいて、第１のAMFネットワークエレメントと同じAMFプールに属する第２のAMFネットワークエレメントを決定する。
【００７３】
例えば、第１のSMFネットワークエレメントは、第１のSMFネットワークエレメント及び第１のAMFネットワークエレメントのインタフェース間のエコー（Echo）検出機構を使用することにより、第１のAMFネットワークエレメントが利用不可能であることを習得してもよい。ここで、利用不可能であることは、第１のAMFが故障又はリスタートした場合を含んでもよく、或いは過度に重いサービス負荷のため負荷バランシングが第１のAMFネットワークエレメントに対して実行される必要がある場合を含んでもよい。
【００７４】
第１のAMFネットワークエレメントが利用不可能であることを習得したとき、第１のSMFネットワークエレメントは、第１のAMFネットワークエレメントが属するAMFプールのプール識別子に基づいて、第１のAMFネットワークエレメントと同じAMFプールに属する第２のAMFネットワークエレメントを決定してもよい。言い換えると、第１のSMFネットワークエレメントは、端末のためのサービスを提供するために、第１のAMFネットワークエレメントが属するAMFプールに含まれる複数のAMFネットワークエレメントのうち１つを、第２のAMFネットワークエレメントとして選択する。
【００７５】
第２のAMFネットワークエレメントを決定する複数の方式が存在してもよい。例は以下の通りである。
【００７６】
第１の可能な実現方式では、第１のSMFネットワークエレメントは、AMF情報を含むコンテキストをローカルに記憶する。AMF情報は、少なくとも１つのAMFネットワークエレメントと、少なくとも１つのAMFネットワークエレメントのそれぞれのAMFネットワークエレメントが属するAMFプールのプール識別子との間の関連付けを反映してもよい。例えば、AMF情報は、少なくとも１つのAMFネットワークエレメントの識別子又はアドレスと、それぞれのAMFネットワークエレメントが属するAMFプールのプール識別子とを含んでもよい。第１のSMFネットワークエレメントは、第２のAMFネットワークエレメントのアドレス又は第２のAMFネットワークエレメントの識別子を取得するために、第１のAMFネットワークエレメントが属するAMFプールのプール識別子に基づいて、第１のAMFネットワークエレメントと同じプール識別子を有する第２のAMFネットワークエレメントを求めて、ローカルに記憶されたAMF情報を検索してもよい。ここで、第１のSMFネットワークエレメントに記憶されたAMF情報は、第１のSMFネットワークエレメントに接続された少なくとも１つのAMFネットワークエレメントについての情報でもよく、或いは少なくとも１つのAMFネットワークエレメントの予め構成された情報でもよい。これはここでは限定されない。
【００７７】
第２の可能な実現方式では、第１のSMFネットワークエレメントは、第１のクエリ要求メッセージをネットワークリポジトリ機能（Network  Repository  Function,  NRF）エンティティに送信してもよい。第１のクエリ要求メッセージは、第１のAMFネットワークエレメントが属するAMFプールのプール識別子を搬送する。NRFエンティティは、第１のクエリ要求メッセージに基づいて、第１のAMFネットワークエレメントと同じプール識別子を有する第２のAMFネットワークエレメントを求めて、ローカルに記憶されたAMF情報を検索し、第２のAMFネットワークエレメントのアドレス又は第２のAMFネットワークエレメントの識別子を取得し、アドレス又は識別子を第１のSMFネットワークエレメントに送信する。
【００７８】
第３の可能な実現方式では、第１のSMFネットワークエレメントは、ネットワーク公開機能（Network  Exposure  Function）エンティティを介して第２のクエリ要求メッセージを構造化データ記憶機能（structured  data  storage  function,  SDSF）ネットワークエレメントに送信してもよい。第２のクエリ要求メッセージは、第１のAMFネットワークエレメントが属するAMFプールのプール識別子を搬送する。SDSFネットワークエレメントは、第２のクエリ要求メッセージに基づいて、第１のAMFネットワークエレメントと同じプール識別子を有する第２のAMFネットワークエレメントを求めて、ローカルに記憶されたAMF情報を検索し、第２のAMFネットワークエレメントのアドレス又は第２のAMFネットワークエレメントの識別子を取得し、アドレス又は識別子を第１のSMFネットワークエレメントに送信する。
【００７９】
第２のAMFネットワークエレメントを決定する前述の３つの方式は組み合わせて使用されてもよい点に留意すべきである。任意選択で、第１のSMFネットワークエレメントのローカルに記憶されたAMF情報は、第１の実現方式を使用することにより、第２のAMFネットワークエレメントのアドレス又は識別子を求めて検索されてもよい。適切な結果が見つからないとき、第２のAMFネットワークエレメントのアドレス又は識別子は、第２又は第３の実現方式を使用することにより取得される。
【００８０】
さらに、第１のAMFネットワークエレメントが利用不可能であることを第１のSMFネットワークエレメントが習得し、第１のユーザプレーン機能（User  Plane  Function,  UPF）エンティティにより送信されたシグナリングメッセージ（例えば、データ通知メッセージ）を受信したとき、ステップS102がトリガーされて実行される。第１のAMFネットワークエレメントが利用不可能であることを第１のSMFネットワークエレメントが習得し、第１のユーザプレーンエンティティにより送信された下りリンクデータパケットを受信したとき、第１のSMFネットワークエレメントは、制御プレーンを使用することにより、下りリンクデータパケットを端末に送信する必要がある。この実現方式では、ステップS102を実行するとき、第１のSMFネットワークエレメントは、まず、下りリンクデータパケットをキャッシュし、ユーザプレーンリソースの確立を待機し、次に、下りリンクデータパケットを端末に送信してもよい。
【００８１】
第２のAMFネットワークエレメントを決定した後に、第１のSMFネットワークエレメントは、端末にサービス提供する第１のAMFネットワークエレメントが利用不可能であることを第２のAMFネットワークエレメントに通知してもよい。図２に示す実施例では、ステップS103が実行されてもよい。
【００８２】
S103.第１のSMFネットワークエレメントは、第１のメッセージを第２のAMFネットワークエレメントに送信する。
【００８３】
第１のメッセージは、端末の永久識別子及び原因値を含んでもよい。永久識別子は、端末のコンテキストを取得するために第２のAMFネットワークエレメントにより使用され、原因値は、第１のAMFネットワークエレメントが利用不可能であることを示す。このように、第２のAMFネットワークエレメントは、第２のAMFネットワークエレメントが端末のためのサービスを提供するために、第１のAMFネットワークエレメントを交換する必要があることを習得する。さらに、第１のメッセージは第１のセッション管理メッセージを更に含んでもよい。第１のセッション管理メッセージは第１のセッションの識別子を含む。第１のセッションの識別子は、第１のセッションを第１のSMFネットワークエレメントに関連付けることを第２のAMFネットワークエレメントに通知するために使用される。
【００８４】
S104.第２のAMFネットワークエレメントは、データベースから端末のコンテキストを取得し、端末のコンテキストは、第１のSMFネットワークエレメントの識別子及び第２のSMFネットワークエレメントの識別子を含む。
【００８５】
この実施例では、ステップS104は、ステップS1041及びステップS1042を具体的に含んでもよい。
【００８６】
S1041.第２のAMFネットワークエレメントは、端末のコンテキストを求めてデータベースに要求する。
【００８７】
S1042.データベースは、端末のコンテキストを第２のAMFネットワークエレメントに送信し、端末のコンテキストは、第１のSMFネットワークエレメントの識別子及び第２のSMFネットワークエレメントの識別子を含む。
【００８８】
例えば、ここでのデータベースはUDSFデータベースである。第２のAMFネットワークエレメント及び第１のAMFネットワークエレメントは同じAMFプールに属するため、第２のAMFネットワークエレメント及び第１のAMFネットワークエレメントは１つのUDSFデータベースを共有する。第１のメッセージを受信した後に、第２のAMFネットワークエレメントは、端末の永久識別子に基づいて、UDSFデータベースから端末のコンテキストを問い合わせてもよい。この実施例では、端末のコンテキストは、複数のSMFネットワークエレメントの識別子を含み、例えば、識別子は、第１のSMFネットワークエレメントの識別子及び第２のSMFネットワークエレメントの識別子を含む。ここで、第２のSMFネットワークエレメントは、特定のSMFネットワークエレメントでもよく、或いは広く第１のSMFネットワークエレメントと異なるSMFネットワークエレメントでもよい。ここで、第２のAMFネットワークエレメントにより受信される端末のコンテキストは、第１のSMFネットワークエレメントの識別子及び第２のSMFネットワークエレメントの識別子を含み、第１のSMFネットワークエレメントに加えて、端末に関連する他のSMFネットワークエレメントが存在することを第２のAMFネットワークエレメントに通知するために使用されてもよい。
【００８９】
任意選択で、端末のコンテキストは、端末の第１の一時識別子及び端末のトラッキングエリアリストを更に含む。第１の一時識別子は、第１のAMFネットワークエレメントにより端末に割り当てられ、第１のAMF内で端末を一意に識別するために使用される。トラッキングエリアリストは、トラッキングエリアリストに含まれる全てのトラッキングエリアにおいて端末へのページングを開始するために、第２のAMFネットワークエレメントにより使用される。
【００９０】
S105.第２のAMFネットワークエレメントは、第２のAMFネットワークエレメントの識別子又は第２のAMFネットワークエレメントのアドレスを送信し、端末のコンテキストを更新するために、ページング状態指示をデータベースに送信する。
【００９１】
第２のAMFネットワークエレメントは、コンテキストに含まれる第１のSMFネットワークエレメントの識別子及び第２のSMFネットワークエレメントの識別子に基づいて、端末が複数のセッションを有する、すなわち、複数のSMFネットワークエレメントによりサービス提供されると決定してもよい。この場合、第２のAMFネットワークエレメントは、第２のAMFネットワークエレメントの識別子又は第２のAMFネットワークエレメントのアドレス及びページング状態指示をUDSFデータベースに送信してもよい。UDSFデータベースは、第２のAMFネットワークエレメントの識別子又は第２のAMFネットワークエレメントのアドレス及びページング状態指示を端末のコンテキストに対して更新する。ページング状態指示は、端末が第２のAMFネットワークエレメントによりページングされることを示す。
【００９２】
ステップS104の後に、ステップS105が実行されるとき、前に、或いは後に、ステップS111が実行されてもよい。実行順序はここでは限定されない。
【００９３】
さらに、以下のステップS106〜ステップS110において、ステップS108〜ステップS110はステップS105の後に実行される。したがって、ステップS108〜ステップS110はステップS111と同時に実行されてもよく、或いはステップS108〜ステップS110はステップS111の後に実行されてもよい。これはここでは限定されない。
【００９４】
S106.第２のSMFネットワークエレメントは、第１のAMFネットワークエレメントが属するAMFプールのプール識別子を取得する。
【００９５】
第２のSMFネットワークエレメントが第１のAMFネットワークエレメントが属するAMFプールのプール識別子を取得する方式は、第１のSMFネットワークエレメントが第１のAMFネットワークエレメントが属するAMFプールのプール識別子を取得する方式と同様である。詳細についてはステップS101の説明を参照し、詳細はここでは再び説明しない。
【００９６】
S107.第２のSMFネットワークエレメントは、プール識別子に基づいて第３のメッセージを第３のAMFネットワークエレメントに送信し、第１のAMFネットワークエレメント及び第３のAMFネットワークエレメントは同じAMFプールに属する。
【００９７】
第１のAMFネットワークエレメントが利用不可能であることを習得したとき、第２のSMFネットワークエレメントは、第１のAMFネットワークエレメントが属するAMFプールのプール識別子に基づいて、第１のAMFネットワークエレメントと同じAMFプールに属する第３のAMFネットワークエレメントを決定してもよい。言い換えると、第２のSMFネットワークエレメントは、第１のAMFネットワークエレメントが属するAMFプールに含まれる複数のAMFネットワークエレメントのうち１つを、第３のAMFネットワークエレメントとして選択する。第３のAMFネットワークエレメントは第２のAMFネットワークエレメントと異なる。第３のAMFネットワークエレメントを決定する方式は、ステップS102において第２のAMFネットワークエレメントを決定する方式と一致しており、詳細はここでは再び説明しない。
【００９８】
第３のAMFネットワークエレメントが決定された後に、第２のSMFネットワークエレメントは、第３のメッセージを第３のAMFネットワークエレメントに送信してもよい。第３のメッセージは、端末の永久識別子及び原因値を含んでもよい。永久識別子は、端末のコンテキストを取得するために第３のAMFネットワークエレメントにより使用され、原因値は、第１のAMFネットワークエレメントが利用不可能であることを示す。このように、第３のAMFネットワークエレメントは、第３のAMFネットワークエレメントが端末のためのサービスを提供するために、第１のAMFネットワークエレメントを交換する必要があることを習得する。さらに、第３のメッセージは第２のセッション管理メッセージを更に含んでもよい。第２のセッション管理メッセージは第２のセッションの識別子を含む。第２のセッションの識別子は、第２のセッションを第２のSMFネットワークエレメントに関連付けることを第３のAMFネットワークエレメントに通知するために使用される。
【００９９】
同様に、第１のAMFネットワークエレメントが利用不可能であることを第２のSMFネットワークエレメントが習得し、第２のUPFにより送信されたシグナリングメッセージ（例えば、データ通知メッセージ）を受信したとき、ステップS102がトリガーされて実行される。第１のAMFネットワークエレメントが利用不可能であることを第２のSMFネットワークエレメントが習得し、第２のユーザプレーンエンティティにより送信された下りリンクデータパケットを受信したとき、第２のSMFネットワークエレメントは、制御プレーンを使用することにより、下りリンクデータパケットを端末に送信する必要がある。この実現方式では、ステップS102を実行するとき、第２のSMFネットワークエレメントは、まず、下りリンクデータパケットをキャッシュし、ユーザプレーンリソースの確立を待機し、次に、下りリンクデータパケットを端末に送信してもよい。
【０１００】
S108.第３のAMFネットワークエレメントは、データベースから端末のコンテキストを取得し、端末のコンテキストは、第２のAMFネットワークエレメントの識別子又は第２のAMFのアドレス及びページング状態指示を含む。
【０１０１】
この実施例では、ステップS108はステップS1081及びステップS1082を具体的に含んでもよい。
【０１０２】
S1081.第３のAMFネットワークエレメントは、端末のコンテキストを求めてデータベースに要求する。
【０１０３】
S1082.データベースは、端末のコンテキストを第３のAMFネットワークエレメントに送信し、端末のコンテキストは、第２のAMFネットワークエレメントの識別子又は第２のAMFのアドレスを含み、ページング状態指示を更に含む。
【０１０４】
例えば、ここでのデータベースは前述のUDSFデータベースである。第３のAMFネットワークエレメント及び第１のAMFネットワークエレメントは同じAMFプールに属するため、第３のAMFネットワークエレメント及び第１のAMFネットワークエレメントは１つのUDSFデータベースを共有する。第３のメッセージを受信した後に、第３のAMFネットワークエレメントは、端末の永久識別子に基づいて、UDSFデータベースから端末のコンテキストを問い合わせてもよい。第２のAMFネットワークエレメントは、端末にサービス提供するために第１のAMFネットワークエレメントを交換するネットワークエレメントとして、第１のSMFネットワークエレメントにより最初に選択されており、第２のAMFネットワークエレメントは、端末へのページングをトリガーし、ステップS105において、端末のコンテキストは、第２のAMFネットワークエレメントの識別子又は第２のAMFネットワークエレメントのアドレスを含み、ページング状態指示を更に含む。したがって、第３のAMFネットワークエレメントは、端末のコンテキストに基づいて、端末が第２のAMFネットワークエレメントによりページングされ、第３のAMFネットワークエレメントが端末を更にページングする必要はなく、ステップS105と同様のステップを実行する必要はないことを習得してもよい。
【０１０５】
S109.第３のAMFネットワークエレメントは、第２のAMFのアドレス又は第２のAMFの識別子を第２のSMFネットワークエレメントに送信する。
【０１０６】
第３のAMFネットワークエレメントは、第２のAMFのアドレス又は第２のAMFの識別子を第２のSMFネットワークエレメントに送信してもよく、それにより、第２のSMFネットワークエレメントは、端末が第２のAMFネットワークエレメントによりページングされることを習得してもよい。
【０１０７】
S110.第２のSMFネットワークエレメントは、第２のAMFネットワークエレメントのアドレス又は第２のAMFの識別子に基づいて、第４のメッセージを第２のAMFネットワークエレメントに送信する。
【０１０８】
第２のSMFネットワークエレメントは、第２のAMFネットワークエレメントが実際に端末にサービス提供することを習得する。したがって、第２のSMFネットワークエレメントは、第４のメッセージを第２のAMFネットワークエレメントに送信する。第３のメッセージ内で搬送される内容と一致して、第４のメッセージは、端末の永久識別子及び原因値を含んでもよい。永久識別子は、端末のコンテキストを取得するために第２のAMFネットワークエレメントにより使用され、原因値は、第１のAMFネットワークエレメントが利用不可能であることを示す。このように、第２のAMFネットワークエレメントは、第２のAMFネットワークエレメントが端末のためのサービスを提供するために、第１のAMFネットワークエレメントを交換する必要があることを習得する。さらに、第４のメッセージは第２のセッション管理メッセージを更に含んでもよい。第２のセッション管理メッセージは第２のセッションの識別子を含む。第２のセッションの識別子は、第２のセッションを第２のSMFネットワークエレメントに関連付けることを第２のAMFネットワークエレメントに通知するために使用される。
【０１０９】
このように、端末が複数のSMFに関連する複数のセッションを有するとき、第２のSMFネットワークエレメント及び第１のSMFネットワークエレメントが第１のAMFネットワークエレメントを交換するために異なるAMFネットワークエレメントを最初に選択したとしても、ページングをトリガーする第２のAMFネットワークエレメントが最終的に端末にサービス提供することが確保でき、それにより、１つの端末にサービス提供する複数のAMFネットワークエレメントにより引き起こされる手順のコンフリクトを回避する。
【０１１０】
S111.第２のAMFネットワークエレメントは端末をページングする。
【０１１１】
端末のコンテキストを取得した後に、第２のAMFネットワークエレメントは、コンテキストに基づいて端末をページングしてもよい。具体的には、第２のAMFネットワークエレメントは、ページングメッセージを端末に送信してもよい。ページングメッセージは、第２のAMFネットワークエレメントの識別子を含んでもよく、或いは端末の一時識別子を含んでもよく、一方で、一時識別子は第２のAMFネットワークエレメントの識別子を含む。具体的なページング方法について、図４〜図６Ｂに示す実施例におけるページング処理を参照し、詳細はこの実施例では説明しない。
【０１１２】
S112.ページングを受信した後に、端末は、サービス要求メッセージを第２のAMFネットワークエレメントに送信する。
【０１１３】
サービス要求メッセージは端末の一時識別子を搬送し、端末のセッションのためのユーザプレーンリソースを確立するように、第２のAMFネットワークエレメントをトリガーするために使用される。
【０１１４】
S113.第２のAMFネットワークエレメントは、端末により送信されたサービス要求メッセージに基づいて、第１のセッションのためのユーザプレーンリソースを確立するように、第１のSMFネットワークエレメントをトリガーする。
【０１１５】
端末のサービス要求メッセージを受信した後に、第２のAMFネットワークエレメントは、端末の一時識別子に基づいて、ローカルに記憶されたコンテキストから端末の永久識別子を取得してもよい。端末のコンテキストは、ステップS1081及びステップS1082においてデータベースから取得されている。第２のAMFネットワークエレメントは、端末の永久識別子に基づいて、端末の加入データを求めて、統一データ管理（Unified  Data  Management,  UDM）ライブラリに要求する。
【０１１６】
さらに、第２のAMFネットワークエレメントは、ステップS103において第１のメッセージから取得された第１のセッション管理メッセージを使用することにより、第１のSMFネットワークエレメントが第１のセッションに関連することを習得する。このように、第２のAMFネットワークエレメントは、第１のSMFネットワークエレメントが第１のセッションのためのユーザプレーンリソースを確立するためにトリガーされる必要があることを習得してもよい。さらに、第２のAMFネットワークエレメントは、第１のセッションのためのユーザプレーンリソースを確立するように第１のSMFネットワークエレメントをトリガーするために、サービス要求メッセージに基づいてサービス要求手順処理を実行する。
【０１１７】
さらに、第１のSMFネットワークエレメントが第１のUPFエンティティから入来する下りリンクデータパケットを最初にキャッシュした場合、第１のセッションのためのユーザプレーンリソースを確立した後に、第１のSMFネットワークエレメントは、次に、キャッシュされた下りリンクデータパケットを端末に送信してもよい。
【０１１８】
S114.第２のAMFネットワークエレメントは、端末により送信されたサービス要求メッセージに基づいて、第２のセッションのためのユーザプレーンリソースを確立するように、第２のSMFネットワークエレメントをトリガーする。
【０１１９】
第２のAMFネットワークエレメントは、ステップS110において第４のメッセージから取得された第２のセッション管理メッセージを使用することにより、第２のSMFネットワークエレメントが第２のセッションに関連することを習得する。このように、第２のAMFネットワークエレメントは、第２のSMFネットワークエレメントが第２のセッションのためのユーザプレーンリソースを確立するためにトリガーされる必要があることを習得してもよい。さらに、第２のAMFネットワークエレメントは、第２のセッションのためのユーザプレーンリソースを確立するように第２のSMFネットワークエレメントをトリガーするために、サービス要求メッセージに基づいてサービス要求手順処理を実行する。
【０１２０】
さらに、第２のSMFネットワークエレメントが最初に第２のUPFエンティティから入来する下りリンクデータパケットをキャッシュした場合、第２のセッションのためのユーザプレーンリソースを確立した後に、第２のSMFネットワークエレメントは、次に、キャッシュされた下りリンクデータパケットを端末に送信してもよい。
【０１２１】
したがって、ページングメッセージを受信した後に、端末は、もはや再アタッチ手順を開始する必要はなく、第２のAMFネットワークエレメントは、ローカルに記憶されている端末のコンテキストを削除しない。これは、第１のAMFネットワークエレメントが利用不可能であるときの端末のセッションサービスの迅速な回復を確保し、それにより、ネットワークエレメントの信頼性を改善する。
【０１２２】
図２に示す実施例では、ステップS101〜ステップS105が、どのように第１のSMFネットワークエレメントが第１のAMFネットワークエレメントを交換する第２のAMFネットワークエレメントを選択するかを示し、ステップS106〜ステップS110が、どのように第２のSMFネットワークエレメントが第１のAMFネットワークエレメントを交換する第２のAMFネットワークエレメントを決定するかを示し、ステップS111〜ステップS114が、第２のAMFネットワークエレメントが端末をページングして端末セッションのためのユーザプレーンリソースを再確立することを示す手順であることが習得できる。この実施例で特に言及しない限り、ステップS101〜ステップS105、ステップS106〜ステップS110及びステップS111〜ステップS114の手順におけるステップの実行順序は限定されない。
【０１２３】
図３Ａ及び図３Ｂを参照すると、図３Ａ及び図３Ｂは、本発明の実施例による他のセッション処理方法の概略フローチャートである。この実施例では、端末は、複数のSMFに関連する複数のセッションを確立する。当該方法は以下のステップを含むが、これらに限定されない。
【０１２４】
S201.第１のSMFネットワークエレメントは、第１のAMFネットワークエレメントが属するAMFプールのプール識別子を取得する。
【０１２５】
ステップS201の具体的な実現方式について、ステップS101を参照し、詳細はここでは再び説明しない。
【０１２６】
S202.第１のAMFネットワークエレメントが利用不可能であるとき、第１のSMFネットワークエレメントは、プール識別子に基づいて、第１のAMFネットワークエレメントと同じAMFプールに属する第２のAMFネットワークエレメントを決定する。
【０１２７】
ステップS202の具体的な実現方式について、ステップS102を参照し、詳細はここでは再び説明しない。
【０１２８】
第２のAMFネットワークエレメントを決定した後に、第１のSMFネットワークエレメントは、端末にサービス提供する第１のAMFネットワークエレメントが利用不可能であることを第２のAMFネットワークエレメントに通知してもよい。図３Ａ及び図３Ｂに示す実施例では、ステップS203が具体的に実行されてもよい。
【０１２９】
S203.第１のSMFネットワークエレメントは、第１のメッセージを第２のAMFネットワークエレメントに送信する。
【０１３０】
この実施例と図２に示す実施例との違いは、この実施例における第１のメッセージが第１のセッション管理メッセージを含まない点にある。すなわち、第１のSMFネットワークエレメントは、第１のセッション管理メッセージを第２のAMFネットワークエレメントに一時的に送信しないが、第１のセッション管理メッセージをローカルにキャッシュする。他の部分について、ステップS103における説明を参照し、詳細はここでは再び説明しない。
【０１３１】
S204.第２のAMFネットワークエレメントは、データベースから端末のコンテキストを取得し、端末のコンテキストは、第１のSMFネットワークエレメントの識別子及び第２のSMFネットワークエレメントの識別子を含む。
【０１３２】
この実施例では、ステップS204は、ステップS2041及びステップS2042を具体的に含んでもよい。
【０１３３】
S2041.第２のAMFネットワークエレメントは、端末のコンテキストを求めてデータベースに要求する。
【０１３４】
S2042.データベースは、端末のコンテキストを第２のAMFネットワークエレメントに送信し、端末のコンテキストは、第１のSMFネットワークエレメントの識別子及び第２のSMFネットワークエレメントの識別子を含む。
【０１３５】
この実施例では、端末は、複数のセッションに関連する複数のSMFネットワークエレメントによりサービス提供される。例えば、複数のSMFネットワークエレメントは、SMF1ネットワークエレメント、SMF2ネットワークエレメント及びSMF3ネットワークエレメントでもよい。この場合、SMF1ネットワークエレメントの識別子、SMF2ネットワークエレメントの識別子及びSMF3ネットワークエレメントの識別子は、ステップS204において取得される。この場合、第２のSMFネットワークエレメントは、広く第１のSMFネットワークエレメントと異なるSMFネットワークエレメントでもよい。ステップS204の具体的な実現方式について、ステップS104を参照し、詳細はここでは再び説明しない。
【０１３６】
S205.第２のAMFネットワークエレメントは、第２のAMFネットワークエレメントの識別子又は第２のAMFネットワークエレメントのアドレスを送信し、端末のコンテキストを更新するために、第１のSMFの識別子及びページング状態指示をデータベースに送信する。
【０１３７】
この実施例と図２に示す実施例との違いは、この実施例における第２のAMFネットワークエレメントにより受信される第１のメッセージが第１のセッション管理メッセージを含まない点にある。したがって、第２のAMFネットワークエレメントの識別子又は第２のAMFネットワークエレメントのアドレス及びページング状態指示をUDSFデータベースに送信することに加えて、第２のAMFネットワークエレメントは、第１のSMFネットワークエレメントの識別子をUDSFデータベースに更に送信する。第１のSMFネットワークエレメントの識別子は、第１のSMFネットワークエレメントに対応するセッションが下りリンクサービスを有することを示す。UDSFデータベースは、第２のAMFネットワークエレメントの識別子又は第２のAMFネットワークエレメントのアドレス、第１のSMFの識別子及びページング状態指示を端末のコンテキストに対して更新する。任意選択で、第２のAMFネットワークエレメントは、識別子指示情報をデータベースに更に送信してもよい。この場合、識別子指示情報は、第１のSMFネットワークエレメントに対応するセッションが下りリンクサービスを有することを示す。対応して、UDSFデータベースはまた、識別子指示情報を端末のコンテキストに対して更新する。他の部分については、ステップS105における説明を参照し、詳細はここでは再び説明しない。
【０１３８】
ステップS205の後に、ステップS210が更に実行されてもよい。
【０１３９】
さらに、以下のステップS206〜ステップS209において、ステップS208及びステップS209はステップS205の後に実行される。したがって、ステップS208及びステップS209はステップS210と同時に実行されてもよく、或いはステップS208及びステップS209はステップS210の後に実行されてもよい。これはここでは限定されない。
【０１４０】
S206.第２のSMFネットワークエレメントは、第１のAMFネットワークエレメントが属するAMFプールのプール識別子を取得する。
【０１４１】
ステップS206の具体的な実現方式について、ステップS106を参照し、詳細はここでは再び説明しない。
【０１４２】
S207.第２のSMFネットワークエレメントは、プール識別子に基づいて第３のメッセージを第３のAMFネットワークエレメントに送信し、第１のAMFネットワークエレメント及び第３のAMFネットワークエレメントは同じAMFプールに属する。
【０１４３】
この実施例と図２に示す実施例との違いは、この実施例における第３のメッセージが第２のセッション管理メッセージを含まない点にある。すなわち、第２のSMFネットワークエレメントは、第２のセッション管理メッセージを第２のAMFネットワークエレメントに一時的に送信しないが、第２のセッション管理メッセージをローカルにキャッシュする。他の部分について、ステップS107における説明を参照し、詳細はここでは再び説明しない。
【０１４４】
同様に、第１のAMFネットワークエレメントが利用不可能であることを第２のSMFネットワークエレメントが習得し、第２のユーザプレーン機能（User  Plane  Function,  UPF）エンティティにより送信されたシグナリングメッセージ（例えば、データ通知メッセージ）を受信したとき、ステップS207がトリガーされて実行される。第１のAMFネットワークエレメントが利用不可能であることを第２のSMFネットワークエレメントが習得し、第２のユーザプレーンエンティティにより送信された下りリンクデータパケットを受信したとき、第２のSMFネットワークエレメントは、制御プレーンを使用することにより、下りリンクデータパケットを端末に送信する必要がある。この実現方式では、ステップS207を実行するとき、第２のSMFネットワークエレメントは、まず、下りリンクデータパケットをキャッシュし、ユーザプレーンリソースの確立を待機し、次に、下りリンクデータパケットを端末に送信してもよい。
【０１４５】
S208.第３のAMFネットワークエレメントは、データベースから端末のコンテキストを取得し、端末のコンテキストは、第２のAMFネットワークエレメントの識別子又は第２のAMFのアドレス及びページング状態指示を含む。
【０１４６】
この実施例では、ステップS208はステップS2081及びステップS2082を具体的に含んでもよい。
【０１４７】
S2081.第３のAMFネットワークエレメントは、端末のコンテキストを求めてデータベースに要求する。
【０１４８】
S2082.データベースは、端末のコンテキストを第３のAMFネットワークエレメントに送信し、端末のコンテキストは、第２のAMFネットワークエレメントの識別子又は第２のAMFのアドレスを含み、ページング状態指示を含む。
【０１４９】
ステップS208の具体的な実現方式について、ステップS108を参照し、詳細はここでは再び説明しない。
【０１５０】
このように、端末が複数のSMFに関連する複数のセッションを有するとき、第２のSMFネットワークエレメント及び第１のSMFネットワークエレメントが第１のAMFネットワークエレメントを交換するために異なるAMFネットワークエレメントを最初に選択したとしても、ページングをトリガーする第２のAMFネットワークエレメントが最終的に端末にサービス提供することが確保でき、それにより、１つの端末にサービス提供する複数のAMFネットワークエレメントにより引き起こされる手順のコンフリクトを回避する。
【０１５１】
S209.第３のAMFネットワークエレメントは、端末のコンテキストを更新するために、第２のSMFネットワークエレメントの識別子をデータベースに送信する。
【０１５２】
第３のAMFネットワークエレメントは、第２のSMFネットワークエレメントの識別子をUDSFデータベースに送信してもよく、UDSFデータベースは、第２のSMFネットワークエレメントの識別子を端末のコンテキストに対して更新する。第２のSMFネットワークエレメントの識別子は、第２のSMFネットワークエレメントに対応するセッションが下りリンクサービスを有することを示す。任意選択で、第３のAMFネットワークエレメントは、識別子指示情報をデータベースに更に送信してもよい。この場合、識別子指示情報は、第２のSMFネットワークエレメントに対応するセッションが下りリンクサービスを有することを示す。対応して、UDSFデータベースはまた、識別子指示情報を端末のコンテキストに対して更新する。
【０１５３】
S210.第２のAMFネットワークエレメントは端末をページングする。
【０１５４】
ステップS210の具体的な実現方式について、ステップS111を参照し、詳細はここでは再び説明しない。
【０１５５】
S211.ページングを受信した後に、端末は、サービス要求メッセージを第２のAMFネットワークエレメントに送信する。
【０１５６】
ステップS211の具体的な実現方式について、ステップS112を参照し、詳細はここでは再び説明しない。
【０１５７】
S212.第２のAMFネットワークエレメントは、データベースから端末のコンテキストを取得する。
【０１５８】
この実施例では、ステップS212は、ステップS2121及びステップS2122を具体的に含んでもよい。
【０１５９】
S2121.第２のAMFネットワークエレメントは、端末のコンテキストを求めてデータベースに要求する。
【０１６０】
S2122.データベースは、端末のコンテキストを第２のAMFネットワークエレメントに送信する。
【０１６１】
端末のコンテキストは、第１のSMFネットワークエレメントの識別子及び第２のSMFネットワークエレメントの識別子を含む。このように、第２のAMFネットワークエレメントは、第１のSMFネットワークエレメントに対応するセッション及び第２のSMFネットワークエレメントに対応するセッションが下りリンクサービスを有することを習得してもよい。例えば、ステップS204において取得されたコンテキストは３つの識別子SMF1、SMF2及びSMF3を含み、識別子SMF1はステップS205において更新され、識別子SMF2はステップS209において更新される。この場合、端末は、コンテキストに基づいて、SMF1及びSMF2に対応するセッションが下りリンクサービスを有すると決定してもよい。
【０１６２】
S213.第２のAMFネットワークエレメントは、それぞれの第２のメッセージを第１のSMFネットワークエレメント及び第２のSMFネットワークエレメントに送信する。
【０１６３】
第１のSMFネットワークエレメントに送信される第２のメッセージは、第１のセッション管理メッセージを求めて第１のSMFネットワークエレメントに要求するために第２のAMFネットワークエレメントにより使用され、第２のSMFネットワークエレメントに送信される第２のメッセージは、第２のセッション管理メッセージを求めて第２のSMFネットワークエレメントに要求するために第２のAMFネットワークエレメントにより使用され、それにより、第１のSMFネットワークエレメント及び第２のSMFネットワークエレメントは、第２のAMFネットワークエレメントを使用することにより、第１のセッション及び第２のセッションのためのユーザプレーンリソースを確立する。
【０１６４】
S214.第１のSMFネットワークエレメントは、キャッシュされた第１のセッション管理メッセージを第２のAMFネットワークエレメントに送信する。
【０１６５】
S215.第２のSMFネットワークエレメントは、キャッシュされた第２のセッション管理メッセージを第２のAMFネットワークエレメントに送信する。
【０１６６】
第１のセッション管理メッセージは第１のセッションの識別子を含み、第１のセッションの識別子は、第１のセッションを第１のSMFネットワークエレメントに関連付けることを第２のAMFネットワークエレメントに通知するために使用される。第２のセッション管理メッセージは第２のセッションの識別子を含み、第２のセッションの識別子は、第２のセッションを第２のSMFネットワークエレメントに関連付けることを第２のAMFネットワークエレメントに通知するために使用される。このように、第２のAMFネットワークエレメントは、第１及び第２のSMFネットワークエレメントのそれぞれが、対応するセッションのためのユーザプレーンリソースを確立するためにトリガーされる必要があることを決定してもよい。
【０１６７】
S216.第２のAMFネットワークエレメントは、端末により送信されたサービス要求メッセージに基づいて、第１のセッションのためのユーザプレーンリソースを確立するように、第１のSMFネットワークエレメントをトリガーする。
【０１６８】
ステップS216の具体的な実現方式について、ステップS113を参照し、詳細はここでは再び説明しない。
【０１６９】
S217.第２のAMFネットワークエレメントは、端末により送信されたサービス要求メッセージに基づいて、第２のセッションのためのユーザプレーンリソースを確立するように、第２のSMFネットワークエレメントをトリガーする。
【０１７０】
ステップS217の具体的な実現方式について、ステップS114を参照し、詳細はここでは再び説明しない。
【０１７１】
したがって、ページングメッセージを受信した後に、端末は、もはや再アタッチ手順を開始する必要はなく、第２のAMFネットワークエレメントは、ローカルに記憶されている端末のコンテキストを削除しない。これは、第１のAMFネットワークエレメントが利用不可能であるときの端末のセッションサービスの迅速な回復を確保し、それにより、ネットワークエレメントの信頼性を改善する。
【０１７２】
図３Ａ及び図３Ｂに示す実施例では、ステップS201〜ステップS205が、どのように第１のSMFネットワークエレメントが第１のAMFネットワークエレメントを交換する第２のAMFネットワークエレメントを選択するかを示し、ステップS206〜ステップS209が、どのように第２のSMFネットワークエレメントが第１のAMFネットワークエレメントを交換する第２のAMFネットワークエレメントを決定するかを示し、ステップS210〜ステップS217が、第２のAMFネットワークエレメントが端末をページングして端末セッションのためのユーザプレーンリソースを再確立することを示す手順であることが習得できる。この実施例で特に言及しない限り、ステップS201〜ステップS205、ステップS206〜ステップS209及びステップS210〜ステップS217の手順におけるステップの実行順序は限定されない。
【０１７３】
図４〜図６Ｂを参照すると、図４〜図６Ｂは、本発明の実施例による３つのセッション処理方法の概略フローチャートである。実施例では、端末は１つのみのSMFによりサービス提供され、SMFは複数のセッションに関連してもよく、或いは１つのみのセッションに関連してもよい。当該方法は以下のステップを含むが、これらに限定されない。
【０１７４】
S301.第１のSMFネットワークエレメントは、第１のAMFネットワークエレメントが属するAMFプールのプール識別子を取得する。
【０１７５】
S302.第１のAMFネットワークエレメントが利用不可能であるとき、第１のSMFネットワークエレメントは、プール識別子に基づいて、第１のAMFネットワークエレメントと同じAMFプールに属する第２のAMFネットワークエレメントを決定する。
【０１７６】
第２のAMFネットワークエレメントを決定した後に、第１のSMFネットワークエレメントは、端末にサービス提供する第１のAMFネットワークエレメントが利用不可能であることを第２のAMFネットワークエレメントに通知してもよい。図４〜図６Ｂに示す実施例では、ステップS303が具体的に実行されてもよい。
【０１７７】
S303.第１のSMFネットワークエレメントは、第１のメッセージを第２のAMFネットワークエレメントに送信する。
【０１７８】
ステップS301〜ステップS303の具体的な実現方式について、ステップS101〜ステップS103を参照し、詳細はここでは再び説明しない。
【０１７９】
S304.第２のAMFネットワークエレメントは、データベースから端末のコンテキストを取得し、端末のコンテキストは、端末の第１の一時識別子を含む。
【０１８０】
実施例では、ステップS304は、ステップS3041及びステップS3042を具体的に含んでもよい。
【０１８１】
S3041.第２のAMFネットワークエレメントは、端末のコンテキストを求めてデータベースに要求する。
【０１８２】
S3042.データベースは、端末のコンテキストを第２のAMFネットワークエレメントに送信し、端末のコンテキストは端末の第１の一時識別子を含む。
【０１８３】
第２のAMFネットワークエレメント及び第１のAMFネットワークエレメントは同じAMFプールに属するため、第２のAMFネットワークエレメント及び第１のAMFネットワークエレメントは１つのUDSFデータベースを共有する。第１のメッセージを受信した後に、第２のAMFネットワークエレメントは、端末の永久識別子に基づいて、UDSFデータベースから端末のコンテキストを問い合わせてもよい。実施例では、端末のコンテキストは、端末の第１の一時識別子を含む。端末の第１の一時識別子は、第１のAMFネットワークエレメントにより端末に割り当てられ、例えば、一時移動加入者識別子（Temporary  Mobile  Subscriber  Identity,  TMSI）である。第１の一時識別子は、第１のAMFネットワークエレメントの識別子と、第１のAMFが属するAMFプール内の端末の識別子とを含む。
【０１８４】
さらに、端末のコンテキストは、トラッキングエリアリストに含まれるトラッキングエリア内で端末をページングするために第２のAMFネットワークエレメントにより使用されるトラッキングエリアリストを含む。
【０１８５】
図４に示す実施例では、ステップS304の後に、ステップS305〜ステップS308及びステップS319が実行される。
【０１８６】
S305.第２のAMFネットワークエレメントは、第１の一時識別子に基づいて、端末のための第２の一時識別子を構築し、第２の一時識別子は第２のAMFネットワークエレメントの識別子を含む。
【０１８７】
第２のAMFネットワークエレメントは、第１の一時識別子内の第１のAMFネットワークエレメントの識別子を、第２のAMFネットワークエレメントの識別子と交換し、それにより、端末のための第２の一時識別子を構築する。すなわち、第２の一時識別子は、第２のAMFネットワークエレメントの識別子及びAMFプール内の端末の識別子を含む。図４に示す実施例では、AMFプール内の端末の識別子はAMFプール内で一意である点に留意すべきである。したがって、基地局は、AMFプール内の端末の識別子に基づいて端末をページングできる。
【０１８８】
S306.第２のAMFネットワークエレメントは、ページングメッセージを端末に送信し、ページングメッセージは端末の第２の一時識別子を搬送する。
【０１８９】
第２のAMFネットワークエレメントは、ページングメッセージを、トラッキングエリアリストに含まれるトラッキングエリア内の端末に送信する。ページングメッセージは端末の第２の一時識別子を搬送する。
【０１９０】
S307.ページングメッセージを受信した後に、端末は、サービス要求メッセージを基地局に送信し、サービス要求メッセージは端末の第２の一時識別子を搬送する。
【０１９１】
ページングメッセージを受信した後に、端末は、サービス要求メッセージを基地局に送信する。サービス要求メッセージは端末の第２の一時識別子を搬送し、第２の一時識別子は、端末にサービス提供する第２のAMFネットワークエレメントを示す。
【０１９２】
S308.基地局は、端末の第２の一時識別子に基づいて、サービス要求メッセージを第２のAMFネットワークエレメントに送信する。
【０１９３】
端末の第２の一時識別子は第２のAMFネットワークエレメントの識別子を含む。したがって、基地局は、サービス要求メッセージ内の第２の一時識別子に基づいて、第２のAMFネットワークエレメントが端末にサービス提供すると決定し、それにより、サービス要求メッセージを第２のAMFネットワークエレメントに送信してもよい。
【０１９４】
これは、端末のサービス要求メッセージを処理するAMFネットワークエレメントが、端末へのページングをトリガーするAMFネットワークエレメントと同じであることを確保する。
【０１９５】
図５に示す実施例では、ステップS304の後に、ステップS309〜ステップS311及びステップS319が実行される。
【０１９６】
S309.第２のAMFネットワークエレメントは、ページングメッセージを端末に送信し、ページングメッセージは、端末の第１の一時識別子及び第２のAMFネットワークエレメントの識別子を含む。
【０１９７】
第２のAMFネットワークエレメントは、ページングメッセージを、トラッキングエリアリストに含まれるトラッキングエリア内の端末に送信する。ページングメッセージは、端末の第１の一時識別子及び第２のAMFネットワークエレメントの識別子を含む。端末の第１の一時識別子は、第１のAMFネットワークエレメントの識別子及びAMFプール内の端末の識別子を含む。図５に示す実施例では、AMFプール内の端末の識別子は、AMFプール内のAMFネットワークエレメント内のみで一意であるが、AMFプール内で必ずしも一意ではない点に留意すべきである。
【０１９８】
S310.ページングを受信した後に、端末は、サービス要求メッセージを基地局に送信し、サービス要求メッセージは第２のAMFネットワークエレメントの識別子を搬送する。
【０１９９】
ページングを受信した後に、端末は、サービス要求メッセージを基地局に送信する。サービス要求メッセージは第２のAMFネットワークエレメントの識別子を搬送し、第２のAMFネットワークエレメントの識別子は、端末にサービス提供する第２のAMFネットワークエレメントを示す。
【０２００】
S311.基地局は、第２のAMFネットワークエレメントの識別子に基づいて、サービス要求メッセージを第２のAMFに送信する。
【０２０１】
基地局は、サービス要求メッセージ内の第２のAMFネットワークエレメントの識別子に基づいて、第２のAMFネットワークエレメントが端末にサービス提供すると決定し、それにより、サービス要求メッセージを第２のAMFネットワークエレメントに送信してもよい。これは、端末のサービス要求メッセージを処理するAMFネットワークエレメントが端末へのページングをトリガーするAMFネットワークエレメントと同じであることを確保する。
【０２０２】
図６Ａ及び図６Ｂに示す実施例では、ステップS304の後に、ステップS312〜ステップS319が実行される。
【０２０３】
S312.第２のAMFネットワークエレメントは、端末のコンテキストを更新するために、第２のAMFネットワークエレメントの識別子及び原因値をデータベースに送信する。
【０２０４】
第２のAMFネットワークエレメントは、第２のAMFネットワークエレメントの識別子及び原因値をUDSFデータベースに送信してもよく、UDSFデータベースは、第２のAMFネットワークエレメントの識別子及び原因値を端末のコンテキストに対して更新する。原因値は、第１のAMFネットワークエレメントが利用不可能であることを示し、第２のAMFネットワークエレメントの識別子は、端末が第２のAMFネットワークエレメントによりサービス提供されることを示す。
【０２０５】
S313.第２のAMFネットワークエレメントは、ページングメッセージを端末に送信し、ページングメッセージは端末の第１の一時識別子を搬送する。
【０２０６】
第２のAMFネットワークエレメントは、ページングメッセージを、トラッキングエリアリストに含まれるトラッキングエリア内の端末に送信する。ページングメッセージは端末の第１の一時識別子を含む。端末の第１の一時識別子は、第１のAMFネットワークエレメントの識別子及びAMFプール内の端末の識別子を含む。図６Ａ及び図６Ｂに示す実施例では、AMFプール内の端末の識別子は、AMFプール内のAMFネットワークエレメント内のみで一意であるが、AMFプール内で必ずしも一意ではない点に留意すべきである。
【０２０７】
S314.ページングメッセージを受信した後に、端末は、サービス要求メッセージを基地局に送信し、サービス要求メッセージは端末の第１の一時識別子を搬送する。
【０２０８】
ページングメッセージを受信した後に、端末は、サービス要求メッセージを基地局に送信する。サービス要求メッセージは端末の第１の一時識別子を搬送し、第１の一時識別子は、端末にサービス提供した第１のAMFネットワークエレメントを示す。
【０２０９】
S315.基地局は、端末の第１の一時識別子に基づいて、第１の一時識別子により示される第１のAMFネットワークエレメントを決定し、第１のAMFネットワークエレメントが利用不可能であることを習得し、第１のAMFネットワークエレメントと同じAMFプールに属する第３のAMFネットワークエレメントを決定する。
【０２１０】
サービス要求メッセージを受信した後に、基地局は、第１の一時識別子内の第１のAMFネットワークエレメントの識別子に基づいて、第１のAMFネットワークエレメントを決定してもよい。さらに、可能な実現方式では、負荷のため第１のAMFネットワークエレメントが利用不可能になったとき、第１のAMFネットワークエレメントは、第１のAMFネットワークエレメントがもはや端末のためのサービスを提供しないことを基地局に通知する。このように、基地局は、第１のAMFネットワークエレメントが利用不可能であることを習得してもよい。他の可能な実現方式では、故障又はリスタートのため第１のAMFネットワークエレメントが利用不可能になったとき、基地局は、基地局及び第１のAMFネットワークエレメントのインタフェース間の接続に基づいて、第１のAMFネットワークエレメントが端末のためのサービスを現在提供できないことを習得する。第１のAMFネットワークエレメントが利用不可能であることを習得したとき、基地局は、事前構成中に知られた、第１のAMFネットワークエレメントが属するAMFプールのプール識別子に基づいて、第１のAMFネットワークエレメントと同じAMFプールに属する第３のAMFネットワークエレメントをランダムに決定する。
【０２１１】
S316.基地局は、サービス要求メッセージを第３のAMFネットワークエレメントに送信し、サービス要求メッセージは端末の第１の一時識別子を搬送する。
【０２１２】
S317.第３のAMFネットワークエレメントは、データベースから端末のコンテキストを取得し、端末のコンテキストは、第２のAMFネットワークエレメントの識別子及び原因値を含む。
【０２１３】
この実施例では、ステップS317は、ステップS3171及びステップS3172を具体的に含んでもよい。
【０２１４】
S3171.第３のAMFネットワークエレメントは、端末のコンテキストを求めてデータベースに要求する。
【０２１５】
S3172.データベースは、端末のコンテキストを第３のAMFネットワークエレメントに送信し、端末のコンテキストは、第２のAMFネットワークエレメントの識別子及び原因値を含む。
【０２１６】
第３のAMFネットワークエレメント及び第１のAMFネットワークエレメントは同じAMFプールに属するため、第３のAMFネットワークエレメント及び第１のAMFネットワークエレメントは１つのUDSFデータベースを共有する。第３のAMFは端末のコンテキストをローカルに記憶しないため、サービス要求メッセージを受信した後に、第３のAMFネットワークエレメントは、サービス要求メッセージ内で搬送された第１の一時識別子に基づいて、UDSFデータベースから端末のコンテキストを問い合わせてもよい。第２のAMFネットワークエレメントの識別子及び原因値は、ステップS312において端末のコンテキストに追加されている。したがって、第３のAMFネットワークエレメントは、端末が第２のAMFネットワークエレメントによりサービス提供されることを習得してもよい。
【０２１７】
S318.第３のAMFネットワークエレメントは、サービス要求メッセージを第２のAMFネットワークエレメントに送信する。
【０２１８】
端末が第２のAMFネットワークエレメントによりサービス提供されることを習得した後に、第３のAMFネットワークエレメントは、端末のサービス要求メッセージを第２のAMFネットワークエレメントに転送してもよい。
【０２１９】
したがって、基地局により最初に選択されたAMFネットワークエレメントと第１のSMFネットワークエレメントが異なっていたとしても、最終的に、端末のサービス要求メッセージを処理するAMFネットワークエレメントが、端末へのページングをトリガーするAMFネットワークエレメントと同じであることが確保できる。
【０２２０】
S319.第２のAMFネットワークエレメントは、端末により送信されたサービス要求メッセージに基づいて、第１のセッションのためのユーザプレーンリソースを確立するように、第１のSMFネットワークエレメントをトリガーする。
【０２２１】
ステップS319の具体的な実現方式について、ステップS113を参照し、詳細はここでは再び説明しない。
【０２２２】
したがって、ページングメッセージを受信した後に、端末は、もはや再アタッチ手順を開始する必要はなく、第２のAMFネットワークエレメントは、ローカルに記憶されている端末のコンテキストを削除しない。これは、第１のAMFネットワークエレメントが利用不可能であるときの端末のセッションサービスの迅速な回復を確保し、それにより、ネットワークエレメントの信頼性を改善する。
【０２２３】
図７を参照すると、図７は、本発明の実施例による他のセッション処理方法の概略フローチャートである。当該方法は以下のステップを含むが、これらに限定されない。
【０２２４】
S401.第１のSMFネットワークエレメントは、第１のAMFネットワークエレメントが属するAMFプールのプール識別子を取得する。
【０２２５】
任意選択で、第１のSMFネットワークエレメントは、第１のAMFネットワークエレメントからプール識別子を受信する。
【０２２６】
ステップS401の具体的な実現方式について、ステップS101を参照し、詳細はここでは再び説明しない。
【０２２７】
S402.第１のAMFネットワークエレメントが利用不可能であるとき、第１のSMFネットワークエレメントは、プール識別子に基づいて、第１のAMFネットワークエレメントと同じAMFプールに属する第２のAMFネットワークエレメントを決定する。
【０２２８】
可能な実現方式では、第１のSMFネットワークエレメントは、プール識別子に基づいて、第１のAMFネットワークエレメントと同じプール識別子を有する第２のAMFネットワークエレメントを求めて、ローカルに記憶されたAMF情報を検索する。AMF情報は、第２のAMFネットワークエレメントとプール識別子との間の関連付けを含む。
【０２２９】
他の可能な実現方式では、第１のSMFネットワークエレメントは、第１のクエリ要求メッセージをネットワークリポジトリ機能NRFエンティティに送信し、第１のクエリ要求メッセージはプール識別子を搬送する。第１のSMFネットワークエレメントは、NRFエンティティから第２のAMFネットワークエレメントのアドレス又は第２のAMFネットワークエレメントの識別子を受信する。
【０２３０】
更に他の可能な実現方式では、第１のSMFネットワークエレメントは、第２のクエリ要求メッセージをデータベースに送信し、第２のクエリ要求メッセージはプール識別子を搬送する。第１のSMFネットワークエレメントは、データベースから第２のAMFネットワークエレメントのアドレス又は第２のAMFネットワークエレメントの識別子を受信する。
【０２３１】
ステップS402の後に、第１のSMFネットワークエレメントにより、端末のコンテキストを取得して端末をページングするように、第２のAMFネットワークエレメントをトリガーすることは以下のステップを含んでもよい。
【０２３２】
S403.第２のAMFネットワークエレメントは、第１のSMFネットワークエレメントから、端末にサービス提供する第１のAMFネットワークエレメントが利用不可能であることを習得する。
【０２３３】
任意選択の実現方式では、第２のAMFネットワークエレメントは、第１のSMFネットワークエレメントから第１のメッセージを受信する。第１のメッセージは、端末の永久識別子及び原因値を含み、永久識別子は、端末のコンテキストの獲得に使用され、原因値は、第１のAMFネットワークエレメントが利用不可能であることを示す。
【０２３４】
この実施例の第１の可能な実現方式では、第１のメッセージは第１のセッション管理メッセージを更に含んでもよく、第１のセッション管理メッセージは第１のセッションの識別子を含み、第１のセッションの識別子は、第１のセッションを第１のSMFネットワークエレメントに関連付けることを第２のAMFネットワークエレメントに通知するために使用される。
【０２３５】
この実施例の第２の可能な実現方式では、第１のメッセージは第１のセッション管理メッセージを含まなくてもよい。すなわち、第１のSMFネットワークエレメントは、第１のセッション管理メッセージを第２のAMFネットワークエレメントに一時的に送信しないが、第１のセッション管理メッセージをローカルにキャッシュする。
【０２３６】
S404.第２のAMFネットワークエレメントは、データベースから端末のコンテキストを取得し、端末のコンテキストは、第１のSMFネットワークエレメントの識別子及び第２のSMFネットワークエレメントの識別子を含む。
【０２３７】
ステップS404の具体的な実現方式について、ステップS104を参照し、詳細はここでは再び説明しない。
【０２３８】
S405.第２のAMFネットワークエレメントは端末をページングする。
【０２３９】
任意選択で、第２のAMFネットワークエレメントは、ページングメッセージを端末に送信する。ページングメッセージは第２のAMFネットワークエレメントの識別子を含むか、或いは端末の一時識別子を含み、一方で、一時識別子は第２のAMFネットワークエレメントの識別子を含む。
【０２４０】
ステップS405の具体的な実現方式について、ステップS111、ステップS304〜ステップS306、ステップS309、又はステップS312及びステップS313を参照し、詳細はここでは再び説明しない。
【０２４１】
S406.第２のAMFネットワークエレメントは、端末のコンテキストを更新するために、第２のAMFネットワークエレメントの識別子及びページング状態指示をデータベースに送信する。
【０２４２】
第２のAMFネットワークエレメントは、コンテキストに含まれる第１のSMFネットワークエレメントの識別子及び第２のSMFネットワークエレメントの識別子に基づいて、端末が複数のセッションを有する、すなわち、複数のSMFネットワークエレメントによりサービス提供されると決定してもよい。この場合、第２のAMFネットワークエレメントは、第２のAMFネットワークエレメントの識別子又は第２のAMFネットワークエレメントのアドレスを送信してもよく、ページング状態指示をUDSFデータベースに送信する。UDSFデータベースは、端末のコンテキストに対して、第２のAMFネットワークエレメントの識別子又は第２のAMFネットワークエレメントのアドレスを更新し、ページング状態指示を更新する。ページング状態指示は、端末が第２のAMFネットワークエレメントによりページングされることを示す。
【０２４３】
任意選択で、ステップS403において受信された第１のメッセージがセッション管理メッセージを含まないとき、第２のAMFネットワークエレメントは、端末のコンテキストを更新するために、第１のSMFネットワークエレメントの識別子をデータベースに更に送信する。具体的な実現方法について、ステップS205を参照し、詳細はここでは再び説明しない。
【０２４４】
ステップS405及びステップS406は同時に実行されてもよく、或いは順序が実行中に変更されてもよい。実行順序はここでは限定されない。
【０２４５】
さらに、この実施例は、ステップS408〜ステップS413のいくつかを含む。ステップS408〜ステップS413は、ステップS406の後且つステップS407の前に実行される。
【０２４６】
S408.第２のSMFネットワークエレメントは、第１のAMFネットワークエレメントが属するAMFプールのプール識別子を取得する。
【０２４７】
S409.第２のAMFネットワークエレメントが利用不可能であるとき、第２のSMFネットワークエレメントは、プール識別子に基づいて、第１のAMFネットワークエレメントと同じAMFプールに属する第３のAMFネットワークエレメントを決定する。
【０２４８】
S410.第３のAMFネットワークエレメントは、第２のSMFネットワークエレメントから、端末にサービス提供する第１のAMFネットワークエレメントが利用不可能であることを習得する。
【０２４９】
ステップS408〜ステップS410の具体的な実現方式について、ステップS401〜ステップS403を参照し、詳細はここでは再び説明しない。
【０２５０】
S411.第３のAMFネットワークエレメントは、データベースから端末のコンテキストを取得し、端末のコンテキストは、第２のAMFネットワークエレメントの識別子及びページング状態指示を含む。
【０２５１】
ページング状態指示は、端末が第２のAMFネットワークエレメントによりページングされることを示す。
【０２５２】
この実施例の第１の可能な実現方式では、ステップS411の具体的な実現方式について、ステップS105を参照し、ステップS412が更に実行される。
【０２５３】
この実施例の第２の可能な実現方式では、ステップS411の具体的な実現方式について、ステップS205を参照し、ステップS413が更に実行される。
【０２５４】
S412.第３のAMFネットワークエレメントは、第２のAMFネットワークエレメントのアドレス又は第２のAMFネットワークエレメントの識別子を第２のSMFネットワークエレメントに送信する。
【０２５５】
ステップS412の具体的な実現方式について、ステップS109を参照し、詳細はここでは再び説明しない。
【０２５６】
S413.第３のAMFネットワークエレメントは、端末のコンテキストを更新するために、第２のSMFネットワークエレメントの識別子をデータベースに送信する。
【０２５７】
ステップS413の具体的な実現方式について、ステップS209を参照し、詳細はここでは再び説明しない。
【０２５８】
S407.第２のAMFネットワークエレメントは、端末からサービス要求メッセージを受信し、サービス要求メッセージは、端末のセッションのためのユーザプレーンリソースの確立に使用される。
【０２５９】
端末のサービス要求メッセージを受信した後に、第２のAMFネットワークエレメントは、端末の一時識別子に基づいて、ローカルに記憶されたコンテキストから端末の永久識別子を取得してもよい。端末のコンテキストは、データベースから取得されている。第２のAMFネットワークエレメントは、端末の永久識別子に基づいて、端末の加入データを求めて、統一データ管理（Unified  Data  Management,  UDM）ライブラリに要求する。
【０２６０】
この実施例の第１の可能な実現方式では、第１のメッセージは第１のセッション管理メッセージを含む。この場合、第２のAMFネットワークエレメントは、第１のメッセージから取得された第１のセッション管理メッセージを使用することにより、第１のセッションに関連する第１のSMFネットワークエレメントを決定する。このように、第２のAMFネットワークエレメントは、第１のSMFネットワークエレメントが第１のセッションのためのユーザプレーンリソースを確立するためにトリガーされる必要があることを習得してもよい。さらに、第２のAMFネットワークエレメントは、第１のセッションのためのユーザプレーンリソースを確立するように第１のSMFネットワークエレメントをトリガーするために、サービス要求メッセージに基づいてサービス要求手順処理を実行する。さらに、ステップS412の後に、第２のSMFネットワークエレメントは、第２のAMFネットワークエレメントのアドレス又は第２のAMFの識別子に基づいて、第４のメッセージを第２のAMFネットワークエレメントに送信してもよい。このように、端末からサービス要求メッセージを受信した後に、第２のAMFネットワークエレメントは、第２のセッションのためのユーザプレーンリソースを確立するように、第２のSMFネットワークエレメントを更にトリガーしてもよい。
【０２６１】
この実施例の第２の可能な実現方式では、第１のメッセージは第１のセッション管理メッセージを含まない。この場合、サービス要求メッセージを受信した後に、第２のAMFネットワークエレメントは、データベースから第１のSMFネットワークエレメントの識別子及び第２のSMFネットワークエレメントの識別子（S413において更新される）を取得してもよい。このように、第２のAMFネットワークエレメントは、第１のSMFネットワークエレメントに対応するセッション及び第２のSMFネットワークエレメントに対応するセッションが下りリンクサービスを有することを習得してもよい。第２のAMFネットワークエレメントは、それぞれの第２のメッセージを第１のSMFネットワークエレメント及び第２のSMFネットワークエレメントに送信する。第２のAMFネットワークエレメントは、第１のSMFネットワークエレメントから第１のセッション管理メッセージを受信する。第１のセッション管理メッセージは第１のセッションの識別子を含み、第１のセッションの識別子は、第１のセッションを第１のSMFネットワークエレメントに関連付ける。さらに、第２のAMFネットワークエレメントは、第２のSMFネットワークエレメントから第２のセッション管理メッセージを受信する。第２のセッション管理メッセージは第２のセッションの識別子を含み、第２のセッションの識別子は、第２のセッションを第２のSMFネットワークエレメントに関連付ける。このように、第２のAMFネットワークエレメントは、第１及び第２のSMFネットワークエレメントが、対応するセッションのためのユーザプレーンリソースを確立するためにトリガーされる必要があることを習得し、対応して、第１のセッションのためのユーザプレーンリソースを確立するように、第１のSMFネットワークエレメントをトリガーし、第２のセッションのためのユーザプレーンリソースを確立するように、第２のSMFネットワークエレメントをトリガーしてもよい。
【０２６２】
このように、端末が複数のSMFに関連する複数のセッションを有するとき、第２のSMFネットワークエレメント及び第１のSMFネットワークエレメントが第１のAMFネットワークエレメントを交換するために異なるAMFネットワークエレメントを最初に選択したとしても、ページングをトリガーする第２のAMFネットワークエレメントが最終的に端末にサービス提供することが確保でき、それにより、１つの端末にサービス提供する複数のAMFネットワークエレメントにより引き起こされる手順のコンフリクトを回避する。
【０２６３】
図８を参照すると、図８は、この出願の実施例によるネットワークエレメントの概略構成図である。ネットワークエレメントは、図２、図３Ａ及び図３Ｂ、又は図７における実施例を実現するために第２のAMFネットワークエレメントにより使用されてもよい。図８に示すように、ネットワークエレメントは、
第１のセッション管理機能SMFネットワークエレメントから、端末にサービス提供する第１のAMFネットワークエレメントが利用不可能であることを習得するように構成された受信モジュール801であり、
受信モジュール801は、データベースから端末のコンテキストを取得するように更に構成され、端末のコンテキストは、第１のSMFネットワークエレメントの識別子及び第２のSMFネットワークエレメントの識別子を含む、受信モジュール801と、
端末をページングし、端末のコンテキストを更新するために、第２のAMFネットワークエレメントの識別子及びページング状態指示をデータベースに送信するように構成された送信モジュール802であり、ページング状態指示は、端末が第２のAMFネットワークエレメントによりページングされることを示す、送信モジュール802と
を含み、
受信モジュール801は、端末からサービス要求メッセージを受信するように更に構成され、サービス要求メッセージは、端末のセッションのためのユーザプレーンリソースの確立に使用される。
【０２６４】
任意選択で、受信モジュール801は、第１のSMFネットワークエレメントから第１のメッセージを受信するように具体的に構成され、第１のメッセージは、端末の永久識別子及び原因値を含み、永久識別子は、端末のコンテキストの獲得に使用され、原因値は、第１のAMFネットワークエレメントが利用不可能であることを示す。
【０２６５】
任意選択で、送信モジュール802は、第１のメッセージがセッション管理メッセージを含まないとき、端末のコンテキストを更新するために、第１のSMFの識別子をデータベースに更に送信するように更に構成される。
【０２６６】
任意選択で、送信モジュール802は、ページングメッセージを端末に送信するように具体的に構成され、ページングメッセージは、第２のAMFネットワークエレメントの識別子を含むか、或いは端末の一時識別子を含み、一時識別子は第２のAMFネットワークエレメントの識別子を含む。
【０２６７】
任意選択で、受信モジュール801は、データベースから第１のSMFネットワークエレメントの識別子及び第２のSMFネットワークエレメントの識別子を取得するように更に構成される。
【０２６８】
送信モジュール802は、それぞれの第２のメッセージを第１のSMFネットワークエレメント及び第２のSMFネットワークエレメントに送信するように更に構成される。
【０２６９】
受信モジュール801は、第１のSMFネットワークエレメントから第１のセッション管理メッセージを受信し、第１のセッション管理メッセージは第１のセッションの識別子を含み、第１のセッションの識別子は第１のセッションを第１のSMFネットワークエレメントに関連付け、第２のSMFネットワークエレメントから第２のセッション管理メッセージを受信し、第２のセッション管理メッセージは第２のセッションの識別子を含み、第２のセッションの識別子は第２のセッションを第２のSMFネットワークエレメントに関連付ける、ように更に構成される。
【０２７０】
図９を参照すると、図９は、この出願の実施例による他のネットワークエレメントの概略構成図である。図９に示すように、ネットワークエレメントは、プロセッサ901と、メモリ902と、トランシーバ903とを含む。プロセッサ901は、メモリ902及びトランシーバ903に接続される。例えば、プロセッサ901は、バスを使用することにより、メモリ902及びトランシーバ903に接続されてもよい。具体的には、ネットワークエレメントは第２のAMFネットワークエレメントでもよい。
【０２７１】
プロセッサ901は、図２、図３Ａ及び図３Ｂ、又は図７における方法の対応する機能を実行する際に第２のAMFネットワークエレメントをサポートするように構成される。プロセッサ901は、中央処理装置（英語：central  processing  unit,  CPU）、ネットワークプロセッサ（英語：network  processor,  NP）、ハードウェアチップ、又はこれらのいずれかの組み合わせでもよい。ハードウェアチップは、特定用途向け集積回路（英文：application-specific  integrated  circuit,  ASIC）、プログラマブルロジックデバイス（英文：programmable  logic  device,  PLD）、又はこれらの組み合わせでもよい。PLDは、複合プログラマブルロジックデバイス（英文：complex  programmable  logic  device,  CPLD）、フィールドプログラマブルロジックゲートアレイ（英文：field-programmable  gate  array,  FPGA）、ジェネリックアレイロジック（英文：generic  array  logic,  GAL）、又はこれらのいずれかの組み合わせでもよい。
【０２７２】
メモリ902は、プログラムコード等を記憶するように構成される。メモリ902は、揮発性メモリ（英文：volatile  memory）、例えば、ランダムアクセスメモリ（英文：random  access  memory,  略称：RAM）を含んでもよい。メモリ902は、代替として、不揮発性メモリ（英文：non-volatile  memory）、例えば、読み取り専用メモリ（英文：read-only  memory,  略称：ROM）、フラッシュメモリ（英文：flash  memory）、ハードディスクドライブ（英文：hard  disk  drive,  略称：HDD）又はソリッドステートドライブ（英文：solid-state  drive,  略称：SDD）を含んでもよい。メモリ902は、代替として、前述のメモリの組み合わせを含んでもよい。
【０２７３】
トランシーバ903は、通信モジュール又はトランシーバ回路でもよく、ネットワークデバイスと端末デバイスとの間でデータ及びシグナリングのような情報を送信するように構成されてもよい。
【０２７４】
プロセッサ901は、以下の動作、すなわち、
トランシーバ903を使用することにより、第１のセッション管理機能SMFネットワークエレメントから、端末にサービス提供する第１のAMFネットワークエレメントが利用不可能であることを習得する動作と、
トランシーバ903を使用することにより、データベースから端末のコンテキストを取得する動作であり、端末のコンテキストは、第１のSMFネットワークエレメントの識別子及び第２のSMFネットワークエレメントの識別子を含む、動作と、
トランシーバ903を使用することにより、端末をページングし、端末のコンテキストを更新するために、第２のAMFネットワークエレメントの識別子及びページング状態指示をデータベースに送信する動作であり、ページング状態指示は、端末が第２のAMFネットワークエレメントによりページングされることを示す、動作と、
トランシーバ903を使用することにより、端末からサービス要求メッセージを受信する動作であり、サービス要求メッセージは、端末のセッションのためのユーザプレーンリソースの確立に使用される、動作と
を実行するように、プログラムコードを呼び出してもよい。
【０２７５】
任意選択で、第１のSMFネットワークエレメントから、端末にサービス提供する第１のAMFネットワークエレメントが利用不可能であることを習得するために、プロセッサ901は、トランシーバ903を使用することにより、第１のSMFネットワークエレメントから第１のメッセージを受信するように具体的に構成され、第１のメッセージは、端末の永久識別子及び原因値を含み、永久識別子は、端末のコンテキストの獲得に使用され、原因値は、第１のAMFネットワークエレメントが利用不可能であることを示す。
【０２７６】
任意選択で、プロセッサ901は、第１のメッセージがセッション管理メッセージを含まないとき、トランシーバ903を使用することにより、端末のコンテキストを更新するために、第１のSMFネットワークエレメントの識別子をデータベースに更に送信するように更に構成される。
【０２７７】
任意選択で、端末をページングするために、プロセッサ901は、トランシーバ903を使用することにより、ページングメッセージを端末に送信するように具体的に構成され、ページングメッセージは、第２のAMFネットワークエレメントの識別子を含むか、或いは端末の一時識別子を含み、一時識別子は第２のAMFネットワークエレメントの識別子を含む。
【０２７８】
任意選択で、プロセッサ901は、トランシーバ903を使用することにより、データベースから第１のSMFネットワークエレメントの識別子及び第２のSMFネットワークエレメントの識別子を取得し、トランシーバ903を使用することにより、それぞれの第２のメッセージを第１のSMFネットワークエレメント及び第２のSMFネットワークエレメントに送信し、トランシーバ903を使用することにより、第１のSMFネットワークエレメントから第１のセッション管理メッセージを受信し、第１のセッション管理メッセージは第１のセッションの識別子を含み、第１のセッションの識別子は第１のセッションを第１のSMFネットワークエレメントに関連付け、トランシーバ903を使用することにより、第２のSMFネットワークエレメントから第２のセッション管理メッセージを受信し、第２のセッション管理メッセージは第２のセッションの識別子を含み、第２のセッションの識別子は第２のセッションを第２のSMFネットワークエレメントに関連付ける、ように更に構成される。
【０２７９】
図１０を参照すると、図１０は、この出願の実施例による他のネットワークエレメントの概略構成図である。ネットワークエレメントは、図６Ａ及び図６Ｂにおける実施例を実現するために第３のAMFネットワークエレメントにより使用されてもよい。図１０に示すように、ネットワークエレメントは、
基地局から端末のサービス要求メッセージを受信した後に、データベースから端末のコンテキストを取得するように構成された受信モジュール1001であり、端末のコンテキストは、第２のAMFネットワークエレメントの識別子及び原因値を含み、原因値は、第１のAMFが利用不可能であることを示す、受信モジュール1001と、
サービス要求メッセージを第２のAMFネットワークエレメントに送信するように構成された送信モジュール1002であり、サービス要求メッセージは、端末のセッションのためのユーザプレーンリソースの確立に使用される、送信モジュール1002と
を含む。
【０２８０】
図１１を参照すると、図１１は、この出願の実施例による他のネットワークエレメントの概略構成図である。図１１に示すように、ネットワークエレメントは、プロセッサ1101と、メモリ1102と、トランシーバ1103とを含む。プロセッサ1101は、メモリ1102及びトランシーバ1103に接続される。例えば、プロセッサ1101は、バスを使用することにより、メモリ1102及びトランシーバ1103に接続されてもよい。具体的には、ネットワークエレメントは第３のAMFネットワークエレメントでもよい。
【０２８１】
プロセッサ1101は、図６Ａ及び図６Ｂにおける方法の対応する機能を実行する際に第３のAMFネットワークエレメントをサポートするように構成される。プロセッサ1101は、中央処理装置（英語：central  processing  unit,  CPU）、ネットワークプロセッサ（英語：network  processor,  NP）、ハードウェアチップ、又はこれらのいずれかの組み合わせでもよい。ハードウェアチップは、特定用途向け集積回路（英文：application-specific  integrated  circuit,  ASIC）、プログラマブルロジックデバイス（英文：programmable  logic  device,  PLD）、又はこれらの組み合わせでもよい。PLDは、複合プログラマブルロジックデバイス（英文：complex  programmable  logic  device,  CPLD）、フィールドプログラマブルロジックゲートアレイ（英文：field-programmable  gate  array,  FPGA）、ジェネリックアレイロジック（英文：generic  array  logic,  GAL）、又はこれらのいずれかの組み合わせでもよい。
【０２８２】
メモリ1102は、プログラムコード等を記憶するように構成される。メモリ1102は、揮発性メモリ（英文：volatile  memory）、例えば、ランダムアクセスメモリ（英文：random  access  memory,  略称：RAM）を含んでもよい。メモリ1102は、代替として、不揮発性メモリ（英文：non-volatile  memory）、例えば、読み取り専用メモリ（英文：read-only  memory,  略称：ROM）、フラッシュメモリ（英文：flash  memory）、ハードディスクドライブ（英文：hard  disk  drive,  略称：HDD）又はソリッドステートドライブ（英文：solid-state  drive,  略称：SDD）を含んでもよい。メモリ1102は、代替として、前述のメモリの組み合わせを含んでもよい。
【０２８３】
トランシーバ1103は、通信モジュール又はトランシーバ回路でもよく、ネットワークデバイスと端末デバイスとの間でデータ及びシグナリングのような情報を送信するように構成されてもよい。
【０２８４】
プロセッサ1101は、以下の動作、すなわち、
トランシーバ1103を使用することにより、基地局から端末のサービス要求メッセージを受信した後に、データベースから端末のコンテキストを取得する動作であり、端末のコンテキストは、第２のAMFネットワークエレメントの識別子及び原因値を含み、原因値は、第１のAMFが利用不可能であることを示す、動作と、
トランシーバ1103を使用することにより、サービス要求メッセージを第２のAMFネットワークエレメントに送信する動作であり、サービス要求メッセージは、端末のセッションのためのユーザプレーンリソースの確立に使用される、動作と
を実行するように、プログラムコードを呼び出してもよい。
【０２８５】
図１２を参照すると、図１２は、この出願の実施例による他のネットワークエレメントの概略構成図である。ネットワークエレメントは、図２、図３Ａ及び図３Ｂ、又は図７における実施例を実現するために第３のAMFネットワークエレメントにより使用されてもよい。図１２に示すように、ネットワークエレメントは、
第２のSMFネットワークエレメントから、端末にサービス提供する第１のAMFネットワークエレメントが利用不可能であることを習得するように構成された受信モジュール1201であり、
受信モジュール1201は、データベースから端末のコンテキストを取得するように更に構成され、端末のコンテキストは、第２のAMFネットワークエレメントの識別子及びページング状態指示を含み、ページング状態指示は、端末が第２のAMFネットワークエレメントによりページングされることを示す、受信モジュール1201と、
第２のAMFネットワークエレメントのアドレス又は第２のAMFネットワークエレメントの識別子を第２のSMFネットワークエレメントに送信するか、或いは端末のコンテキストを更新するために、第２のSMFネットワークエレメントの識別子をデータベースに送信するように構成された送信モジュール1202と
を含む。
【０２８６】
図１３を参照すると、図１３は、この出願の実施例による他のネットワークエレメントの概略構成図である。図１３に示すように、ネットワークエレメントは、プロセッサ1301と、メモリ1302と、トランシーバ1303とを含む。プロセッサ1301は、メモリ1302及びトランシーバ1303に接続される。例えば、プロセッサ1301は、バスを使用することにより、メモリ1302及びトランシーバ1303に接続されてもよい。具体的には、ネットワークエレメントは第３のAMFネットワークエレメントでもよい。
【０２８７】
プロセッサ1301は、図２、図３Ａ及び図３Ｂ、又は図７における方法の対応する機能を実行する際に第３のAMFネットワークエレメントをサポートするように構成される。プロセッサ1301は、中央処理装置（英語：central  processing  unit,  CPU）、ネットワークプロセッサ（英語：network  processor,  NP）、ハードウェアチップ、又はこれらのいずれかの組み合わせでもよい。ハードウェアチップは、特定用途向け集積回路（英文：application-specific  integrated  circuit,  ASIC）、プログラマブルロジックデバイス（英文：programmable  logic  device,  PLD）、又はこれらの組み合わせでもよい。PLDは、複合プログラマブルロジックデバイス（英文：complex  programmable  logic  device,  CPLD）、フィールドプログラマブルロジックゲートアレイ（英文：field-programmable  gate  array,  FPGA）、ジェネリックアレイロジック（英文：generic  array  logic,  GAL）、又はこれらのいずれかの組み合わせでもよい。
【０２８８】
メモリ1302は、プログラムコード等を記憶するように構成される。メモリ1302は、揮発性メモリ（英文：volatile  memory）、例えば、ランダムアクセスメモリ（英文：random  access  memory,  略称：RAM）を含んでもよい。メモリ1302は、代替として、不揮発性メモリ（英文：non-volatile  memory）、例えば、読み取り専用メモリ（英文：read-only  memory,  略称：ROM）、フラッシュメモリ（英文：flash  memory）、ハードディスクドライブ（英文：hard  disk  drive,  略称：HDD）又はソリッドステートドライブ（英文：solid-state  drive,  略称：SDD）を含んでもよい。メモリ1302は、代替として、前述のメモリの組み合わせを含んでもよい。
【０２８９】
トランシーバ1303は、通信モジュール又はトランシーバ回路でもよく、ネットワークデバイスと端末デバイスとの間でデータ及びシグナリングのような情報を送信するように構成されてもよい。
【０２９０】
プロセッサ1301は、以下の動作、すなわち、
トランシーバ1303を使用することにより、第２のSMFネットワークエレメントから、端末にサービス提供する第１のAMFネットワークエレメントが利用不可能であることを習得する動作と、
トランシーバ1303を使用することにより、データベースから端末のコンテキストを取得する動作であり、端末のコンテキストは、第２のAMFネットワークエレメントの識別子及びページング状態指示を含み、ページング状態指示は、端末が第２のAMFネットワークエレメントによりページングされることを示す、動作と、
トランシーバ1303を使用することにより、第２のAMFネットワークエレメントのアドレス又は第２のAMFネットワークエレメントの識別子を第２のSMFネットワークエレメントに送信するか、或いは端末のコンテキストを更新するために、第２のSMFネットワークエレメントの識別子をデータベースに送信する動作と
を実行するように、プログラムコードを呼び出してもよい。
【０２９１】
図１４を参照すると、図１４は、この出願の実施例による他のネットワークエレメントの概略構成図である。ネットワークエレメントは、図２〜図７における実施例を実現するために第１のSMFネットワークエレメント又は第２のSMFネットワークエレメントにより使用されてもよい。図１４に示すように、ネットワークエレメントは、
第１のAMFネットワークエレメントが属するAMFプールのプール識別子を取得するように構成された処理モジュール1401を含む。
【０２９２】
処理モジュール1401は、第１のAMFネットワークエレメントが利用不可能であるとき、プール識別子に基づいて、第１のAMFネットワークエレメントと同じAMFプールに属する第２のAMFネットワークエレメントを決定するように更に構成される。
【０２９３】
処理モジュール1401は、端末のコンテキストを取得して端末をページングするように、第２のAMFネットワークエレメントをトリガーするように更に構成される。
【０２９４】
任意選択で、処理モジュール1401は、プール識別子に基づいて、第１のAMFネットワークエレメントと同じプール識別子を有する第２のAMFネットワークエレメントを求めて、ローカルに記憶されたAMF情報を検索するように具体的に構成され、AMF情報は、第２のAMFネットワークエレメントとプール識別子との間の関連付けを含む。
【０２９５】
任意選択で、ネットワークエレメントは、送信モジュール1402と、受信モジュール1403とを更に含む。
【０２９６】
プール識別子に基づいて、第１のAMFネットワークエレメントと同じAMFプールに属する第２のAMFネットワークエレメントを決定するために、送信モジュール1402は、第１のクエリ要求メッセージをネットワークリポジトリ機能NRFエンティティに送信するように構成され、第１のクエリ要求メッセージはプール識別子を搬送し、受信モジュール1403は、NRFエンティティから第２のAMFネットワークエレメントのアドレス又は第２のAMFネットワークエレメントの識別子を受信するように構成される。
【０２９７】
代替として、プール識別子に基づいて、第１のAMFネットワークエレメントと同じAMFプールに属する第２のAMFネットワークエレメントを決定するために、送信モジュール1402は、第２のクエリ要求メッセージをデータベースに送信するように構成され、第２のクエリ要求メッセージはプール識別子を搬送し、受信モジュール1403は、データベースから第２のAMFネットワークエレメントのアドレス又は第２のAMFネットワークエレメントの識別子を受信するように構成される。
【０２９８】
任意選択で、ネットワークエレメントは、受信モジュール1403を更に含む。
【０２９９】
第１のAMFネットワークエレメントが属するAMFプールのプール識別子を取得するために、受信モジュール1403は、第１のAMFネットワークエレメントからプール識別子を受信するように構成される。
【０３００】
代替として、プール識別子に基づいて、第１のAMFネットワークエレメントと同じAMFプールに属する第２のAMFネットワークエレメントを決定するために、送信モジュール1402は、プール識別子に基づいて第３のメッセージを第３のAMFネットワークエレメントに送信するように構成される。第１のAMFネットワークエレメント及び第３のAMFネットワークエレメントは同じAMFプールに属し、第３のメッセージは原因値を搬送し、原因値は、第１のAMFネットワークエレメントが利用不可能であることを示し、受信モジュール1403は、第３のAMFネットワークエレメントから第２のAMFネットワークエレメントのアドレス又は第２のAMFネットワークエレメントの識別子を受信するように構成される。
【０３０１】
任意選択で、処理モジュール1401は、セッション管理メッセージをキャッシュするように更に構成される。
【０３０２】
ネットワークエレメントは、第２のAMFネットワークエレメントから第２のメッセージを受信するように構成された受信モジュール1402と、キャッシュされたセッション管理メッセージを第２のAMFネットワークエレメントに送信するように構成された送信モジュール1403とを更に含み、セッション管理メッセージはセッションの識別子を含み、セッションの識別子はセッションをSMFネットワークエレメントに関連付ける。
【０３０３】
任意選択で、ネットワークエレメントは、送信モジュール1402を更に含む。
【０３０４】
端末のコンテキストを取得して端末をページングするように、第２のAMFネットワークエレメントをトリガーするために、送信モジュール1402は、第１のメッセージを第２のAMFネットワークエレメントに送信するように構成される。第１のメッセージは、端末の永久識別子及び原因値を含み、永久識別子は、端末のコンテキストの獲得に使用され、原因値は、第１のAMFが利用不可能であることを示す。
【０３０５】
図１５を参照すると、図１５は、この出願の実施例による他のネットワークエレメントの概略構成図である。図１５に示すように、ネットワークエレメントは、プロセッサ1501と、メモリ1502と、トランシーバ1503とを含む。プロセッサ1501は、メモリ1502及びトランシーバ1503に接続される。例えば、プロセッサ1501は、バスを使用することにより、メモリ1502及びトランシーバ1503に接続されてもよい。具体的には、ネットワークエレメントは第１のSMFネットワークエレメント又は第２のSMFネットワークエレメントでもよい。
【０３０６】
プロセッサ1501は、図２〜図７における方法の対応する機能を実行する際に第１のSMFネットワークエレメント又は第２のSMFネットワークエレメントをサポートするように構成される。プロセッサ1501は、中央処理装置（英語：central  processing  unit,  CPU）、ネットワークプロセッサ（英語：network  processor,  NP）、ハードウェアチップ、又はこれらのいずれかの組み合わせでもよい。ハードウェアチップは、特定用途向け集積回路（英文：application-specific  integrated  circuit,  ASIC）、プログラマブルロジックデバイス（英文：programmable  logic  device,  PLD）、又はこれらの組み合わせでもよい。PLDは、複合プログラマブルロジックデバイス（英文：complex  programmable  logic  device,  CPLD）、フィールドプログラマブルロジックゲートアレイ（英文：field-programmable  gate  array,  FPGA）、ジェネリックアレイロジック（英文：generic  array  logic,  GAL）、又はこれらのいずれかの組み合わせでもよい。
【０３０７】
メモリ1502は、プログラムコード等を記憶するように構成される。メモリ1502は、揮発性メモリ（英文：volatile  memory）、例えば、ランダムアクセスメモリ（英文：random  access  memory,  略称：RAM）を含んでもよい。メモリ1502は、代替として、不揮発性メモリ（英文：non-volatile  memory）、例えば、読み取り専用メモリ（英文：read-only  memory,  略称：ROM）、フラッシュメモリ（英文：flash  memory）、ハードディスクドライブ（英文：hard  disk  drive,  略称：HDD）又はソリッドステートドライブ（英文：solid-state  drive,  略称：SDD）を含んでもよい。メモリ1502は、代替として、前述のメモリの組み合わせを含んでもよい。
【０３０８】
トランシーバ1503は、通信モジュール又はトランシーバ回路でもよく、ネットワークデバイスと端末デバイスとの間でデータ及びシグナリングのような情報を送信するように構成されてもよい。
【０３０９】
プロセッサ1501は、以下の動作、すなわち、
第１のAMFネットワークエレメントが属するAMFプールのプール識別子を取得する動作と、
第１のAMFネットワークエレメントが利用不可能であるとき、プール識別子に基づいて、第１のAMFネットワークエレメントと同じAMFプールに属する第２のAMFネットワークエレメントを決定する動作と、
端末のコンテキストを取得して端末をページングするように、第２のAMFネットワークエレメントをトリガーする動作と
を実行するように、プログラムコードを呼び出してもよい。
【０３１０】
任意選択で、プール識別子に基づいて、第１のAMFネットワークエレメントと同じAMFプールに属する第２のAMFネットワークエレメントを決定するために、プロセッサ1501は、プール識別子に基づいて、第１のAMFネットワークエレメントと同じプール識別子を有する第２のAMFネットワークエレメントを求めて、ローカルに記憶されたAMF情報を検索するように具体的に構成され、AMF情報は、第２のAMFネットワークエレメントとプール識別子との間の関連付けを含む。
【０３１１】
任意選択で、プール識別子に基づいて、第１のAMFネットワークエレメントと同じAMFプールに属する第２のAMFネットワークエレメントを決定するために、プロセッサ1501は、トランシーバ1503を使用することにより、第１のクエリ要求メッセージをネットワークリポジトリ機能NRFエンティティに送信し、第１のクエリ要求メッセージはプール識別子を搬送し、トランシーバ1503を使用することにより、NRFエンティティから第２のAMFネットワークエレメントのアドレス又は第２のAMFネットワークエレメントの識別子を受信する、ように具体的に構成される。
【０３１２】
任意選択で、プール識別子に基づいて、第１のAMFネットワークエレメントと同じAMFプールに属する第２のAMFネットワークエレメントを決定するために、プロセッサ1501は、トランシーバ1503を使用することにより、第２のクエリ要求メッセージをデータベースに送信し、第２のクエリ要求メッセージはプール識別子を搬送し、トランシーバ1503を使用することにより、データベースから第２のAMFネットワークエレメントのアドレス又は第２のAMFネットワークエレメントの識別子を受信するように具体的に構成される。
【０３１３】
任意選択で、第１のAMFネットワークエレメントが属するAMFプールのプール識別子を取得するために、プロセッサ1501は、トランシーバ1503を使用することにより、第１のAMFネットワークエレメントからプール識別子を受信するように具体的に構成される。
【０３１４】
任意選択で、プール識別子に基づいて、第１のAMFネットワークエレメントと同じAMFプールに属する第２のAMFネットワークエレメントを決定するために、プロセッサ1501は、トランシーバ1503を使用することにより、プール識別子に基づいて第３のメッセージを第３のAMFネットワークエレメントに送信し、第１のAMFネットワークエレメント及び第３のAMFネットワークエレメントは同じAMFプールに属し、第３のメッセージは原因値を搬送し、原因値は、第１のAMFネットワークエレメントが利用不可能であることを示し、トランシーバ1503を使用することにより、第３のAMFネットワークエレメントから第２のAMFネットワークエレメントのアドレス又は第２のAMFネットワークエレメントの識別子を受信する、ように具体的に構成される。
【０３１５】
任意選択で、プロセッサ1501は、セッション管理メッセージをキャッシュし、トランシーバ1503を使用することにより、第２のAMFネットワークエレメントから第２のメッセージを受信した後に、キャッシュされたセッション管理メッセージを第２のAMFネットワークエレメントに送信するように更に構成され、セッション管理メッセージはセッションの識別子を含み、セッションの識別子はセッションをSMFネットワークエレメントに関連付ける。
【０３１６】
任意選択で、端末のコンテキストを取得して端末をページングするように、第２のAMFネットワークエレメントをトリガーするために、プロセッサ1501は、トランシーバ1503を使用することにより、第１のメッセージを第２のAMFネットワークエレメントに送信するように具体的に構成され、第１のメッセージは、端末の永久識別子及び原因値を含み、永久識別子は、端末のコンテキストの獲得に使用され、原因値は、第１のAMFが利用不可能であることを示す。
【０３１７】
図１６を参照すると、図１６は、この出願の実施例による他のネットワークエレメントの概略構成図である。ネットワークエレメントは、図６Ａ及び図６Ｂにおける実施例を実現するために第２のAMFネットワークエレメントにより使用されてもよい。図１６に示すように、ネットワークエレメントは、
SMFネットワークエレメントから第１のメッセージを受信するように構成された受信モジュール1601であり、第１のメッセージは原因値を含み、原因値は、端末にサービス提供する第１のAMFが利用不可能であることを示す、受信モジュール1601と、
端末をページングし、端末のコンテキストを更新するために、第２のAMFネットワークエレメントの識別子及び原因値をデータベースに送信するように構成された送信モジュール1602と
を含む。
【０３１８】
受信モジュール1601は、第３のAMFネットワークエレメントからサービス要求メッセージを受信するように更に構成される。サービス要求メッセージは、端末のセッションのためのユーザプレーンリソースの確立に使用される。
【０３１９】
図１７を参照すると、図１７は、この出願の実施例による他のネットワークエレメントの概略構成図である。図１７に示すように、ネットワークエレメントは、プロセッサ1701と、メモリ1702と、トランシーバ1703とを含む。プロセッサ1701は、メモリ1702及びトランシーバ1703に接続される。例えば、プロセッサ1701は、バスを使用することにより、メモリ1702及びトランシーバ1703に接続されてもよい。具体的には、ネットワークエレメントは第２のAMFネットワークエレメントでもよい。
【０３２０】
プロセッサ1701は、図６Ａ及び図６Ｂにおける方法の対応する機能を実行する際に第２のAMFネットワークエレメントをサポートするように構成される。プロセッサ1701は、中央処理装置（英語：central  processing  unit,  CPU）、ネットワークプロセッサ（英語：network  processor,  NP）、ハードウェアチップ、又はこれらのいずれかの組み合わせでもよい。ハードウェアチップは、特定用途向け集積回路（英文：application-specific  integrated  circuit,  ASIC）、プログラマブルロジックデバイス（英文：programmable  logic  device,  PLD）、又はこれらの組み合わせでもよい。PLDは、複合プログラマブルロジックデバイス（英文：complex  programmable  logic  device,  CPLD）、フィールドプログラマブルロジックゲートアレイ（英文：field-programmable  gate  array,  FPGA）、ジェネリックアレイロジック（英文：generic  array  logic,  GAL）、又はこれらのいずれかの組み合わせでもよい。
【０３２１】
メモリ1702は、プログラムコード等を記憶するように構成される。メモリ1702は、揮発性メモリ（英文：volatile  memory）、例えば、ランダムアクセスメモリ（英文：random  access  memory,  略称：RAM）を含んでもよい。メモリ1702は、代替として、不揮発性メモリ（英文：non-volatile  memory）、例えば、読み取り専用メモリ（英文：read-only  memory,  略称：ROM）、フラッシュメモリ（英文：flash  memory）、ハードディスクドライブ（英文：hard  disk  drive,  略称：HDD）又はソリッドステートドライブ（英文：solid-state  drive,  略称：SDD）を含んでもよい。メモリ1702は、代替として、前述のメモリの組み合わせを含んでもよい。
【０３２２】
トランシーバ1703は、通信モジュール又はトランシーバ回路でもよく、ネットワークデバイスと端末デバイスとの間でデータ及びシグナリングのような情報を送信するように構成されてもよい。
【０３２３】
プロセッサ1701は、以下の動作、すなわち、
トランシーバ1703を使用することにより、SMFネットワークエレメントから第１のメッセージを受信する動作であり、第１のメッセージは原因値を含み、原因値は、端末にサービス提供する第１のAMFが利用不可能であることを示す、動作と、
トランシーバ1703を使用することにより、端末をページングし、端末のコンテキストを更新するために、第２のAMFネットワークエレメントの識別子及び原因値をデータベースに送信する動作と、
トランシーバ1703を使用することにより、第３のAMFネットワークエレメントからサービス要求メッセージを受信する動作であり、サービス要求メッセージは、端末のセッションのためのユーザプレーンリソースの確立に使用される、動作と
を実行するように、プログラムコードを呼び出してもよい。
【０３２４】
図１８を参照すると、図１８は、この出願の実施例による他のネットワークエレメントの概略構成図である。ネットワークエレメントは、図４又は図５における実施例を実現するために第２のAMFネットワークエレメントにより使用されてもよい。図１８に示すように、ネットワークエレメントは、
SMFネットワークエレメントから、端末にサービス提供する第１のAMFネットワークエレメントが利用不可能であることを習得するように構成された受信モジュール1801と、
ページングメッセージを端末に送信するように構成された送信モジュール1802であり、ページングメッセージは、第２のAMFネットワークエレメントの識別子又は端末の一時識別子を含み、一時識別子は第２のAMFネットワークエレメントの識別子を含む、送信モジュール1802と
を含む。
【０３２５】
受信モジュールは、端末からサービス要求メッセージを受信するように更に構成される。サービス要求メッセージは、端末のセッションのためのユーザプレーンリソースの確立に使用される。
【０３２６】
図１９を参照すると、図１９は、この出願の実施例による他のネットワークエレメントの概略構成図である。図１９に示すように、ネットワークエレメントは、プロセッサ1901と、メモリ1902と、トランシーバ1903とを含む。プロセッサ1901は、メモリ1902及びトランシーバ1903に接続される。例えば、プロセッサ1901は、バスを使用することにより、メモリ1902及びトランシーバ1903に接続されてもよい。具体的には、ネットワークエレメントは第２のAMFネットワークエレメントでもよい。
【０３２７】
プロセッサ1901は、図４又は図５における方法の対応する機能を実行する際に第２のAMFネットワークエレメントをサポートするように構成される。プロセッサ1901は、中央処理装置（英語：central  processing  unit,  CPU）、ネットワークプロセッサ（英語：network  processor,  NP）、ハードウェアチップ、又はこれらのいずれかの組み合わせでもよい。ハードウェアチップは、特定用途向け集積回路（英文：application-specific  integrated  circuit,  ASIC）、プログラマブルロジックデバイス（英文：programmable  logic  device,  PLD）、又はこれらの組み合わせでもよい。PLDは、複合プログラマブルロジックデバイス（英文：complex  programmable  logic  device,  CPLD）、フィールドプログラマブルロジックゲートアレイ（英文：field-programmable  gate  array,  FPGA）、ジェネリックアレイロジック（英文：generic  array  logic,  GAL）、又はこれらのいずれかの組み合わせでもよい。
【０３２８】
メモリ1902は、プログラムコード等を記憶するように構成される。メモリ1902は、揮発性メモリ（英文：volatile  memory）、例えば、ランダムアクセスメモリ（英文：random  access  memory,  略称：RAM）を含んでもよい。メモリ1902は、代替として、不揮発性メモリ（英文：non-volatile  memory）、例えば、読み取り専用メモリ（英文：read-only  memory,  略称：ROM）、フラッシュメモリ（英文：flash  memory）、ハードディスクドライブ（英文：hard  disk  drive,  略称：HDD）又はソリッドステートドライブ（英文：solid-state  drive,  略称：SDD）を含んでもよい。メモリ1902は、代替として、前述のメモリの組み合わせを含んでもよい。
【０３２９】
トランシーバ1903は、通信モジュール又はトランシーバ回路でもよく、ネットワークデバイスと端末デバイスとの間でデータ及びシグナリングのような情報を送信するように構成されてもよい。
【０３３０】
プロセッサ1901は、以下の動作、すなわち、
トランシーバ1903を使用することにより、SMFネットワークエレメントから、端末にサービス提供する第１のAMFネットワークエレメントが利用不可能であることを習得する動作と、
トランシーバ1903を使用することにより、ページングメッセージを端末に送信する動作であり、ページングメッセージは、第２のAMFネットワークエレメントの識別子又は端末の一時識別子を含み、一時識別子は第２のAMFネットワークエレメントの識別子を含む、動作と
トランシーバ1903を使用することにより、端末からサービス要求メッセージを受信する動作であり、サービス要求メッセージは、端末のセッションのためのユーザプレーンリソースの確立に使用される、動作と
を実行するように、プログラムコードを呼び出してもよい。
【０３３１】
当業者は、前述の処理の順序番号がこの出願の様々な実施例における実行順序を意味するのではないことを理解し得る。処理の実行順序は、処理の機能及び内部ロジックに従って決定されるべきであり、この出願の実施例の実現処理に対する限定として解釈されるべきではない。
【０３３２】
前述の実施例の全部又は一部は、ソフトウェア、ハードウェア、ファームウェア、又はこれらのいずれかの組み合わせを使用することにより実現されてもよい。ソフトウェアが実施例を実現するために使用されるとき、実施例は、完全に或いは部分的にコンピュータプログラムプロダクトの形式で実現されてもよい。コンピュータプログラムプロダクトは、１つ以上のコンピュータ命令を含む。コンピュータプログラム命令がコンピュータにロードされて実行されたとき、本発明の実施例による手順又は機能が全て或いは部分的に生成される。コンピュータは、汎用コンピュータ、専用コンピュータ、コンピュータネットワーク又は他のプログラム可能装置でもよい。コンピュータ命令は、コンピュータ読み取り可能記憶媒体に記憶されてもよく、或いはコンピュータ読み取り可能記憶媒体から他のコンピュータ読み取り可能記憶媒体に送信されてもよい。例えば、コンピュータ命令は、有線（例えば、同軸ケーブル、光ファイバ又はデジタル加入者線（DSL））又は無線（例えば、赤外線、無線又はマイクロ波）の方式で、ウェブサイト、コンピュータ、サーバ又はデータセンタから他のウェブサイト、コンピュータ、サーバ又はデータセンタに送信されてもよい。コンピュータ読み取り可能記憶媒体は、コンピュータによりアクセス可能ないずれかの使用可能な媒体、又は１つ以上の使用可能な媒体を統合するサーバ若しくはデータセンタのようなデータ記憶デバイスでもよい。使用可能媒体は、磁気媒体（例えば、フロッピーディスク、ハードディスク又は磁気テープ）、光媒体（例えば、DVD）、半導体媒体（例えば、ソリッドステートディスク（Solid  State  Disk,  SSD））等でもよい。
【０３３３】
当業者は、実施例における方法の処理の全部又は一部が、関係するハードウェアに命令するコンピュータプログラムにより実現されてもよいことを理解し得る。プログラムは、コンピュータ読み取り可能記憶媒体に記憶されてもよい。プログラムが実行するとき、実施例における方法の処理が実行される。前述の記憶媒体は、磁気ディスク、光ディスク、読み取り専用メモリ（Read-Only  Memory,  ROM）、ランダムアクセスメモリ（Random  Access  Memory,  RAM）等でもよい。
【０３３４】
上記に開示したものは、本発明の実施例の単なる例であり、明らかに本発明の保護範囲を限定することを意図するものではない。したがって、本発明の特許請求の範囲に従って行われる等価な変更は、本発明の範囲内に入るものとする。
【図１】
2019535201.tif 000003
【図２】
2019535201.tif 000004
【図３Ａ】
2019535201.tif 000005
【図３Ｂ】
2019535201.tif 000006
【図４】
2019535201.tif 000007
【図５】
2019535201.tif 000008
【図６Ａ】
2019535201.tif 000009
【図６Ｂ】
2019535201.tif 000010
【図７】
2019535201.tif 000011
【図８】
2019535201.tif 000012
【図９】
2019535201.tif 000013
【図１０】
2019535201.tif 000014
【図１１】
2019535201.tif 000015
【図１２】
2019535201.tif 000016
【図１３】
2019535201.tif 000017
【図１４】
2019535201.tif 000018
【図１５】
2019535201.tif 000019
【図１６】
2019535201.tif 000020
【図１７】
2019535201.tif 000021
【図１８】
2019535201.tif 000022
【図１９】
2019535201.tif 000023
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
セッション処理方法であって、
セッション管理機能ネットワークエレメントにより、第１のアクセス及びモビリティ管理機能ネットワークエレメントが属するアクセス及びモビリティ管理機能プールのプール識別子を取得するステップと、
前記第１のアクセス及びモビリティ管理機能ネットワークエレメントが利用不可能であるとき、前記セッション管理機能ネットワークエレメントにより、前記プール識別子に基づいて、第２のアクセス及びモビリティ管理機能ネットワークエレメントを決定するステップであり、前記第２のアクセス及びモビリティ管理機能ネットワークエレメント及び前記第１のアクセス及びモビリティ管理機能ネットワークエレメントは同じアクセス及びモビリティ管理機能プールに属する、ステップと、
前記セッション管理機能ネットワークエレメントにより、端末のコンテキストを取得して前記端末をページングするように、前記第２のアクセス及びモビリティ管理機能ネットワークエレメントをトリガーするステップと
を含む方法。
【請求項２】
前記セッション管理機能ネットワークエレメントにより、前記プール識別子に基づいて、第２のアクセス及びモビリティ管理機能ネットワークエレメントを決定することは、
前記セッション管理機能ネットワークエレメントにより、第１のクエリ要求メッセージをネットワークリポジトリ機能エンティティに送信することであり、前記第１のクエリ要求メッセージは前記プール識別子を搬送する、ことと、
前記セッション管理機能ネットワークエレメントにより、前記ネットワークリポジトリ機能エンティティから前記第２のアクセス及びモビリティ管理機能ネットワークエレメントのアドレス又は前記第２のアクセス及びモビリティ管理機能ネットワークエレメントの識別子を受信することと
を含む、請求項１に記載の方法。
【請求項３】
セッション管理機能ネットワークエレメントにより、第１のアクセス及びモビリティ管理機能ネットワークエレメントが属するアクセス及びモビリティ管理機能プールのプール識別子を取得することは、
前記セッション管理機能ネットワークエレメントにより、前記第１のアクセス及びモビリティ管理機能ネットワークエレメントから前記プール識別子を受信することを含む、請求項１又は２に記載の方法。
【請求項４】
前記セッション管理機能ネットワークエレメントにより、前記プール識別子に基づいて、第２のアクセス及びモビリティ管理機能ネットワークエレメントを決定することは、
前記セッション管理機能ネットワークエレメントにより、前記プール識別子に基づいて、前記第１のアクセス及びモビリティ管理機能ネットワークエレメントと同じプール識別子を有する第２のアクセス及びモビリティ管理機能ネットワークエレメントを求めて、ローカルに記憶されたアクセス及びモビリティ管理機能情報を検索することであり、前記アクセス及びモビリティ管理機能情報は、前記第２のアクセス及びモビリティ管理機能ネットワークエレメントと前記プール識別子との間の関連付けを含む、ことを含む、請求項１に記載の方法。
【請求項５】
前記セッション管理機能ネットワークエレメントにより、前記プール識別子に基づいて、第２のアクセス及びモビリティ管理機能ネットワークエレメントを決定することは、
前記セッション管理機能ネットワークエレメントにより、第２のクエリ要求メッセージをデータベースに送信することであり、前記第２のクエリ要求メッセージは前記プール識別子を搬送する、ことと、
前記セッション管理機能ネットワークエレメントにより、前記データベースから前記第２のアクセス及びモビリティ管理機能ネットワークエレメントのアドレス又は前記第２のアクセス及びモビリティ管理機能ネットワークエレメントの識別子を受信することと
を含む、請求項１に記載の方法。
【請求項６】
前記セッション管理機能ネットワークエレメントにより、前記プール識別子に基づいて、第２のアクセス及びモビリティ管理機能ネットワークエレメントを決定することは、
前記セッション管理機能ネットワークエレメントにより、前記プール識別子に基づいて第３のメッセージを第３のアクセス及びモビリティ管理機能ネットワークエレメントに送信することであり、前記第１のアクセス及びモビリティ管理機能ネットワークエレメント及び前記第３のアクセス及びモビリティ管理機能ネットワークエレメントは同じアクセス及びモビリティ管理機能プールに属し、前記第３のメッセージは原因値を搬送し、前記原因値は、前記第１のアクセス及びモビリティ管理機能ネットワークエレメントが利用不可能であることを示す、ことと、
前記セッション管理機能ネットワークエレメントにより、前記第３のアクセス及びモビリティ管理機能ネットワークエレメントから前記第２のアクセス及びモビリティ管理機能ネットワークエレメントの前記アドレス又は前記第２のアクセス及びモビリティ管理機能ネットワークエレメントの前記識別子を受信することと
を含む、請求項１乃至５のうちいずれか１項に記載の方法。
【請求項７】
前記セッション管理機能ネットワークエレメントにより、セッション管理メッセージをキャッシュするステップと、
前記セッション管理機能ネットワークエレメントにより、前記第２のアクセス及びモビリティ管理機能ネットワークエレメントから第２のメッセージを受信した後に、前記キャッシュされたセッション管理メッセージを前記第２のアクセス及びモビリティ管理機能ネットワークエレメントに送信するステップであり、前記セッション管理メッセージはセッションの識別子を含み、前記セッションの前記識別子は前記セッションを前記セッション管理機能ネットワークエレメントに関連付ける、ステップと
を更に含む、請求項１乃至６のうちいずれか１項に記載の方法。
【請求項８】
前記セッション管理機能ネットワークエレメントにより、端末のコンテキストを取得して前記端末をページングするように、前記第２のアクセス及びモビリティ管理機能ネットワークエレメントをトリガーすることは、
前記セッション管理機能ネットワークエレメントにより、第１のメッセージを前記第２のアクセス及びモビリティ管理機能ネットワークエレメントに送信することであり、前記第１のメッセージは、前記端末の永久識別子及び原因値を含み、前記永久識別子は、前記端末の前記コンテキストの獲得に使用され、前記原因値は、前記第１のアクセス及びモビリティ管理機能ネットワークエレメントが利用不可能であることを示す、ことを含む、請求項１乃至７のうちいずれか１項に記載の方法。
【請求項９】
セッション処理方法であって、
第２のアクセス及びモビリティ管理機能ネットワークエレメントにより、第１のセッション管理機能ネットワークエレメントから、端末にサービス提供する第１のアクセス及びモビリティ管理機能ネットワークエレメントが利用不可能であることを習得したとき、前記第２のアクセス及びモビリティ管理機能ネットワークエレメントにより、データベースから前記端末のコンテキストを取得するステップであり、前記端末の前記コンテキストは、前記第１のセッション管理機能ネットワークエレメントの識別子及び第２のセッション管理機能ネットワークエレメントの識別子を含む、ステップと、
前記第２のアクセス及びモビリティ管理機能ネットワークエレメントにより、前記端末をページングし、前記端末の前記コンテキストを更新するために、前記第２のアクセス及びモビリティ管理機能ネットワークエレメントの識別子及びページング状態指示を前記データベースに送信するステップであり、前記ページング状態指示は、前記端末が前記第２のアクセス及びモビリティ管理機能ネットワークエレメントによりページングされることを示す、ステップと、
前記第２のアクセス及びモビリティ管理機能ネットワークエレメントにより、前記端末からサービス要求メッセージを受信するステップであり、前記サービス要求メッセージは、前記端末のセッションのためのユーザプレーンリソースの確立に使用される、ステップと
を含む方法。
【請求項１０】
第２のアクセス及びモビリティ管理機能ネットワークエレメントにより、第１のセッション管理機能ネットワークエレメントから、端末にサービス提供する第１のアクセス及びモビリティ管理機能ネットワークエレメントが利用不可能であることを習得することは、
前記第２のアクセス及びモビリティ管理機能ネットワークエレメントにより、前記第１のセッション管理機能ネットワークエレメントから第１のメッセージを受信することであり、前記第１のメッセージは前記端末の永久識別子及び原因値を含み、前記永久識別子は、前記端末の前記コンテキストの獲得に使用され、前記原因値は、前記第１のアクセス及びモビリティ管理機能ネットワークエレメントが利用不可能であることを示す、ことを含む、請求項９に記載の方法。
【請求項１１】
前記第１のメッセージがセッション管理メッセージを含まないとき、前記第２のアクセス及びモビリティ管理機能ネットワークエレメントにより、前記端末の前記コンテキストを更新するために、前記第１のセッション管理機能ネットワークエレメントの前記識別子を前記データベースに送信するステップを更に含む、請求項１０に記載の方法。
【請求項１２】
前記第２のアクセス及びモビリティ管理機能ネットワークエレメントにより、前記端末をページングすることは、
前記第２のアクセス及びモビリティ管理機能ネットワークエレメントにより、ページングメッセージを前記端末に送信することであり、前記ページングメッセージは前記第２のアクセス及びモビリティ管理機能ネットワークエレメントの前記識別子を含むか、或いは前記ページングメッセージは前記端末の一時識別子を含み、一方で、前記一時識別子は前記第２のアクセス及びモビリティ管理機能ネットワークエレメントの前記識別子を含む、ことを含む、請求項９乃至１１のうちいずれか１項に記載の方法。
【請求項１３】
前記第２のアクセス及びモビリティ管理機能ネットワークエレメントにより、前記データベースから前記第１のセッション管理機能ネットワークエレメントの前記識別子及び前記第２のセッション管理機能ネットワークエレメントの前記識別子を取得するステップと、
前記第２のアクセス及びモビリティ管理機能ネットワークエレメントにより、それぞれの第２のメッセージを前記第１のセッション管理機能ネットワークエレメント及び前記第２のセッション管理機能ネットワークエレメントに送信するステップと、
前記第２のアクセス及びモビリティ管理機能ネットワークエレメントにより、前記第１のセッション管理機能ネットワークエレメントから第１のセッション管理メッセージを受信するステップであり、前記第１のセッション管理メッセージは第１のセッションの識別子を含み、前記第１のセッションの前記識別子は前記第１のセッションを前記第１のセッション管理機能ネットワークエレメントに関連付ける、ステップと、
前記第２のアクセス及びモビリティ管理機能ネットワークエレメントにより、前記第２のセッション管理機能ネットワークエレメントから第２のセッション管理メッセージを受信するステップであり、前記第２のセッション管理メッセージは第２のセッションの識別子を含み、前記第２のセッションの前記識別子は前記第２のセッションを前記第２のセッション管理機能ネットワークエレメントに関連付ける、ステップと
を更に含む、請求項１１又は１２に記載の方法。
【請求項１４】
セッション処理方法であって、
第３のアクセス及びモビリティ管理機能ネットワークエレメントにより、基地局から端末のサービス要求メッセージを受信した後に、データベースから前記端末のコンテキストを取得するステップであり、前記端末の前記コンテキストは、第２のアクセス及びモビリティ管理機能ネットワークエレメントの識別子及び原因値を含み、前記原因値は、第１のアクセス及びモビリティ管理機能ネットワークエレメントが利用不可能であることを示す、ステップと、
前記第３のアクセス及びモビリティ管理機能ネットワークエレメントにより、前記サービス要求メッセージを前記第２のアクセス及びモビリティ管理機能ネットワークエレメントに送信するステップであり、前記サービス要求メッセージは、前記端末のセッションのためのユーザプレーンリソースの確立に使用される、ステップと
を含む方法。
【請求項１５】
セッション処理方法であって、
第３のアクセス及びモビリティ管理機能ネットワークエレメントにより、第２のセッション管理機能ネットワークエレメントから、端末にサービス提供する第１のアクセス及びモビリティ管理機能ネットワークエレメントが利用不可能であることを習得したとき、前記第３のアクセス及びモビリティ管理機能ネットワークエレメントにより、データベースから端末のコンテキストを取得するステップであり、前記端末の前記コンテキストは、第２のアクセス及びモビリティ管理機能ネットワークエレメントの識別子及びページング状態指示を含み、前記ページング状態指示は、前記端末が前記第２のアクセス及びモビリティ管理機能ネットワークエレメントによりページングされることを示す、ステップと、
前記第３のアクセス及びモビリティ管理機能ネットワークエレメントにより、前記第２のアクセス及びモビリティ管理機能ネットワークエレメントのアドレス又は前記第２のアクセス及びモビリティ管理機能ネットワークエレメントの前記識別子を前記第２のセッション管理機能ネットワークエレメントに送信するか、或いは前記第３のアクセス及びモビリティ管理機能ネットワークエレメントにより、前記端末の前記コンテキストを更新するために、前記第２のセッション管理機能ネットワークエレメントの識別子を前記データベースに送信するステップと
を含む方法。
【請求項１６】
第１のアクセス及びモビリティ管理機能ネットワークエレメントが属するアクセス及びモビリティ管理機能プールのプール識別子を取得し、前記第１のアクセス及びモビリティ管理機能ネットワークエレメントが利用不可能であるとき、前記プール識別子に基づいて、第２のアクセス及びモビリティ管理機能ネットワークエレメントを決定し、前記第２のアクセス及びモビリティ管理機能ネットワークエレメント及び前記第１のアクセス及びモビリティ管理機能ネットワークエレメントは同じアクセス及びモビリティ管理機能プールに属し、端末のコンテキストを取得して前記端末をページングするように、前記第２のアクセス及びモビリティ管理機能ネットワークエレメントをトリガーする、ように構成された処理モジュール
を含むネットワークエレメント。
【請求項１７】
前記ネットワークエレメントは、送信モジュールと、受信モジュールとを更に含み、前記プール識別子に基づいて、前記第２のアクセス及びモビリティ管理機能ネットワークエレメントを決定するために、前記送信モジュールは、第１のクエリ要求メッセージをネットワークリポジトリ機能エンティティに送信するように構成され、前記第１のクエリ要求メッセージは前記プール識別子を搬送し、前記受信モジュールは、前記ネットワークリポジトリ機能エンティティから前記第２のアクセス及びモビリティ管理機能ネットワークエレメントのアドレス又は前記第２のアクセス及びモビリティ管理機能ネットワークエレメントの識別子を受信するように構成される、請求項１６に記載のネットワークエレメント。
【請求項１８】
前記ネットワークエレメントは、前記受信モジュールを更に含み、第１のアクセス及びモビリティ管理機能ネットワークエレメントが属する前記アクセス及びモビリティ管理機能プールの前記プール識別子を取得するために、前記受信モジュールは、前記第１のアクセス及びモビリティ管理機能ネットワークエレメントから前記プール識別子を受信するように構成される、請求項１６又は１７に記載のネットワークエレメント。
【請求項１９】
前記処理モジュールは、前記プール識別子に基づいて、前記第１のアクセス及びモビリティ管理機能ネットワークエレメントと同じプール識別子を有する第２のアクセス及びモビリティ管理機能ネットワークエレメントを求めて、ローカルに記憶されたアクセス及びモビリティ管理機能情報を検索するように構成され、前記アクセス及びモビリティ管理機能情報は、前記第２のアクセス及びモビリティ管理機能ネットワークエレメントと前記プール識別子との間の関連付けを含む、請求項１６に記載のネットワークエレメント。
【請求項２０】
前記ネットワークエレメントは、送信モジュールと、受信モジュールとを更に含み、前記プール識別子に基づいて、前記第２のアクセス及びモビリティ管理機能ネットワークエレメントを決定するために、前記送信モジュールは、第２のクエリ要求メッセージをデータベースに送信するように構成され、前記第２のクエリ要求メッセージは前記プール識別子を搬送し、前記受信モジュールは、前記データベースから前記第２のアクセス及びモビリティ管理機能ネットワークエレメントのアドレス又は前記第２のアクセス及びモビリティ管理機能ネットワークエレメントの識別子を受信するように構成される、請求項１６に記載のネットワークエレメント。
【請求項２１】
前記ネットワークエレメントは、前記送信モジュールと、前記受信モジュールとを更に含み、前記プール識別子に基づいて、前記第２のアクセス及びモビリティ管理機能ネットワークエレメントを決定するために、前記送信モジュールは、前記プール識別子に基づいて第３のメッセージを第３のアクセス及びモビリティ管理機能ネットワークエレメントに送信するように構成され、前記第１のアクセス及びモビリティ管理機能ネットワークエレメント及び前記第３のアクセス及びモビリティ管理機能ネットワークエレメントは同じアクセス及びモビリティ管理機能プールに属し、前記第３のメッセージは原因値を搬送し、前記原因値は、前記第１のアクセス及びモビリティ管理機能ネットワークエレメントが利用不可能であることを示し、前記受信モジュールは、前記第３のアクセス及びモビリティ管理機能ネットワークエレメントから前記第２のアクセス及びモビリティ管理機能ネットワークエレメントの前記アドレス又は前記第２のアクセス及びモビリティ管理機能ネットワークエレメントの前記識別子を受信するように構成される、請求項１６乃至２０のうちいずれか１項に記載のネットワークエレメント。
【請求項２２】
前記処理モジュールは、セッション管理メッセージをキャッシュするように更に構成され、
前記ネットワークエレメントは、
前記第２のアクセス及びモビリティ管理機能ネットワークエレメントから第２のメッセージを受信するように構成された前記受信モジュールと、
前記キャッシュされたセッション管理メッセージを前記第２のアクセス及びモビリティ管理機能ネットワークエレメントに送信するように構成された前記送信モジュールと
を更に含み、前記セッション管理メッセージはセッションの識別子を含み、前記セッションの前記識別子は前記セッションをセッション管理機能ネットワークエレメントに関連付ける、請求項１６乃至２１のうちいずれか１項に記載のネットワークエレメント。
【請求項２３】
前記ネットワークエレメントは、前記送信モジュールを更に含み、前記端末の前記コンテキストを取得して前記端末をページングするように、前記第２のアクセス及びモビリティ管理機能ネットワークエレメントをトリガーするために、前記送信モジュールは、第１のメッセージを前記第２のアクセス及びモビリティ管理機能ネットワークエレメントに送信するように構成され、前記第１のメッセージは、前記端末の永久識別子及び原因値を含み、前記永久識別子は、前記端末の前記コンテキストの獲得に使用され、前記原因値は、前記第１のアクセス及びモビリティ管理機能ネットワークエレメントが利用不可能であることを示す、請求項１６乃至２２のうちいずれか１項に記載のネットワークエレメント。
【請求項２４】
第１のセッション管理機能ネットワークエレメントから、端末にサービス提供する第１のアクセス及びモビリティ管理機能ネットワークエレメントが利用不可能であることを習得し、データベースから前記端末のコンテキストを取得するように構成された受信モジュールであり、前記端末の前記コンテキストは、前記第１のセッション管理機能ネットワークエレメントの識別子及び第２のセッション管理機能ネットワークエレメントの識別子を含む、受信モジュールと、
前記端末をページングし、前記端末の前記コンテキストを更新するために、第２のアクセス及びモビリティ管理機能ネットワークエレメントの識別子及びページング状態指示を前記データベースに送信するように構成された送信モジュールであり、前記ページング状態指示は、前記端末が前記第２のアクセス及びモビリティ管理機能ネットワークエレメントによりページングされることを示す、送信モジュールと
を含み、
前記受信モジュールは、前記端末からサービス要求メッセージを受信するように更に構成され、前記サービス要求メッセージは、前記端末のセッションのためのユーザプレーンリソースの確立に使用される、ネットワークエレメント。
【請求項２５】
前記受信モジュールは、前記第１のセッション管理機能ネットワークエレメントから第１のメッセージを受信するように構成され、前記第１のメッセージは前記端末の永久識別子及び原因値を含み、前記永久識別子は、前記端末の前記コンテキストの獲得に使用され、前記原因値は、前記第１のアクセス及びモビリティ管理機能ネットワークエレメントが利用不可能であることを示す、請求項２４に記載のネットワークエレメント。
【請求項２６】
前記送信モジュールは、前記第１のメッセージがセッション管理メッセージを含まないとき、前記端末の前記コンテキストを更新するために、前記第１のセッション管理機能ネットワークエレメントの前記識別子を前記データベースに送信するように更に構成される、請求項２５に記載のネットワークエレメント。
【請求項２７】
前記送信モジュールは、ページングメッセージを前記端末に送信するように構成され、前記ページングメッセージは前記第２のアクセス及びモビリティ管理機能ネットワークエレメントの前記識別子又は前記端末の一時識別子を含み、前記一時識別子は前記第２のアクセス及びモビリティ管理機能ネットワークエレメントの前記識別子を含む、請求項２４乃至２６のうちいずれか１項に記載のネットワークエレメント。
【請求項２８】
前記受信モジュールは、前記データベースから前記第１のセッション管理機能ネットワークエレメントの前記識別子及び前記第２のセッション管理機能ネットワークエレメントの前記識別子を取得するように更に構成され、
前記送信モジュールは、それぞれの第２のメッセージを前記第１のセッション管理機能ネットワークエレメント及び前記第２のセッション管理機能ネットワークエレメントに送信するように更に構成され、
前記受信モジュールは、前記第１のセッション管理機能ネットワークエレメントから第１のセッション管理メッセージを受信し、前記第１のセッション管理メッセージは第１のセッションの識別子を含み、前記第１のセッションの前記識別子は前記第１のセッションを前記第１のセッション管理機能ネットワークエレメントに関連付け、前記第２のセッション管理機能ネットワークエレメントから第２のセッション管理メッセージを受信し、前記第２のセッション管理メッセージは第２のセッションの識別子を含み、前記第２のセッションの前記識別子は前記第２のセッションを前記第２のセッション管理機能ネットワークエレメントに関連付ける、ように更に構成される、請求項２６又は２７に記載のネットワークエレメント。
【請求項２９】
基地局から端末のサービス要求メッセージを受信した後に、データベースから前記端末のコンテキストを取得するように構成された受信モジュールであり、前記端末の前記コンテキストは、第２のアクセス及びモビリティ管理機能ネットワークエレメントの識別子及び原因値を含み、前記原因値は、第１のアクセス及びモビリティ管理機能ネットワークエレメントが利用不可能であることを示す、受信モジュールと、
前記サービス要求メッセージを前記第２のアクセス及びモビリティ管理機能ネットワークエレメントに送信するように構成された送信モジュールであり、前記サービス要求メッセージは、前記端末のセッションのためのユーザプレーンリソースの確立に使用される、送信モジュールと
を含むネットワークエレメント。
【請求項３０】
第２のセッション管理機能ネットワークエレメントから、端末にサービス提供する第１のアクセス及びモビリティ管理機能ネットワークエレメントが利用不可能であることを習得し、データベースから端末のコンテキストを取得するように構成された受信モジュールであり、前記端末の前記コンテキストは、第２のアクセス及びモビリティ管理機能ネットワークエレメントの識別子及びページング状態指示を含み、前記ページング状態指示は、前記端末が前記第２のアクセス及びモビリティ管理機能ネットワークエレメントによりページングされることを示す、受信モジュールと、
前記第２のアクセス及びモビリティ管理機能ネットワークエレメントのアドレス又は前記第２のアクセス及びモビリティ管理機能ネットワークエレメントの前記識別子を前記第２のセッション管理機能ネットワークエレメントに送信するか、或いは前記端末の前記コンテキストを更新するために、前記第２のセッション管理機能ネットワークエレメントの識別子を前記データベースに送信するように構成された送信モジュールと
を含むネットワークエレメント。
【請求項３１】
１つ以上のプロセッサによる実行のためのコンピュータ命令を記憶したコンピュータ読み取り可能媒体であって、前記コンピュータ命令は、前記１つ以上のプロセッサに対して、請求項１乃至１５のうちいずれか１項に記載の方法の動作を実行するように命令する、コンピュータ読み取り可能媒体。
【手続補正２】
【補正対象書類名】明細書
【補正対象項目名】０３０２
【補正方法】変更
【補正の内容】
【０３０２】
ネットワークエレメントは、第２のAMFネットワークエレメントから第２のメッセージを受信するように構成された受信モジュール1403と、キャッシュされたセッション管理メッセージを第２のAMFネットワークエレメントに送信するように構成された送信モジュール1402とを更に含み、セッション管理メッセージはセッションの識別子を含み、セッションの識別子はセッションをSMFネットワークエレメントに関連付ける。
【国際調査報告】
2019535201.tif 000024
2019535201.tif 000025
2019535201.tif 000026
2019535201.tif 000027